(57)【要約】  脳内の刺激に応答する神経活動をモニタする方法であって、ａ．脳に植込まれた少なくとも１つの電極の１つ以上に第１の刺激を加えることであって、第１の刺激が第１の複数の刺激バーストを含む、第１の刺激を加えること、ｂ．第１の刺激を加えている間の少なくとも一部に、脳に植込まれた少なくとも１つの電極の１つ以上で、神経活動による約２００Ｈｚから約５００Ｈｚの間の高周波振動（ＨＦＯ）を検出すること、ｃ．ＨＦＯの１つ以上の波形特性を判定すること、及びｄ．第２の複数の刺激バーストを含む第２の刺激を生成することであって、第２の刺激の１つ以上の波形特性が、ＨＦＯのより多い波形特性の１つに依拠する、第２の刺激を生成すること、及びｅ．脳に植込まれた少なくとも１つの電極の１つ以上に第２の刺激を加えることを含む。
2020521544.tif 000002
【特許請求の範囲】
【請求項１】
脳の刺激に応答する神経活動をモニタする方法であって、
ａ．前記脳に植込まれた少なくとも１つの電極の１つ以上に前記第１の刺激を加えることであって、前記第１の刺激が第１の複数の刺激バーストを含む、前記第１の刺激を加えること、
ｂ．前記第１の刺激を加えている間の少なくとも一部に、前記脳に植込まれた前記少なくとも１つの電極の１つ以上で、神経活動による約２００Ｈｚから約５００Ｈｚの間の高周波振動（ＨＦＯ）を検出すること、
ｃ．前記ＨＦＯの１つ以上の波形特性を判定すること、
ｄ．第２の複数の刺激バーストを含む第２の刺激を生成することであって、前記第２の刺激の１つ以上の波形特性が、前記ＨＦＯの前記１つ以上の波形特性に依拠する、前記第２の刺激を生成すること、及び
ｅ．前記脳に植込まれた前記少なくとも１つの電極の１つ以上に前記第２の刺激を加えること
を含む、前記方法。
【請求項２】
前記第１の複数のバーストは、
第１の期間に適用され、第１の波形特性を有する第１のバーストと、
前記第１の期間に続く第２の期間に適用され、第２の波形特性を有する少なくとも１つの第２のバーストと
を含む、請求項１に記載の方法。
【請求項３】
前記脳に植込まれた前記少なくとも１つの電極の１つ以上での神経活動によるＨＦＯを検出することは、
前記脳に植込まれた前記少なくとも１つの電極の１つ以上で、前記第１の期間中に第１の高周波振動（ＨＦＯ）を検出し、前記第２の期間中に少なくとも第２のＨＦＯを検出すること
をさらに含む、請求項２に記載の方法。
【請求項４】
前記ＨＦＯの前記１つ以上の波形特性が、前記第１のＨＦＯ及び前記少なくとも第２のＨＦＯの前記１つ以上の波形特性を含む、請求項３に記載の方法。
【請求項５】
前記ＨＦＯの前記１つ以上の波形特性が、以下の
ａ）周波数；
ｂ）振幅；
ｃ）周波数の変化率；
ｄ）振幅の変化率；及び
ｅ）帯域幅
のうちの１つ以上を含む、先行請求項のいずれか一項に記載の方法。
【請求項６】
前記第１波形特性及び前記第２の波形特性は、以下の
ａ）周波数；
ｂ）振幅；
ｃ）パルス幅；
ｄ）相間ギャップ
のうちの１つまたは複数を含む、請求項２に従属する場合、請求項２〜５のいずれか一項に記載の方法。
【請求項７】
前記複数のバーストのうちの１つ以上が、
ａ）第１の位相と、前記第１の位相と反対の極性の第２の位相とを有する対称波形、及び
ｂ）第１の持続時間にわたって第１の振幅で第１の位相、及び前記第１の位相とは反対の極性の第２の位相を有する二相性波形であって、前記第２の位相が第２の振幅及び第２の持続時間を有し、前記第１の振幅と前記第１の持続時間の積は、前記第２の振幅と前記第２の持続時間の積に実質的に等しい、前記二相性波形
のうちの１つを含む、先行請求項のいずれか一項に記載の方法。
【請求項８】
前記第１の刺激及び／または前記第２の刺激が、治療的刺激または非治療的刺激である、先行請求項のいずれか一項に記載の方法。
【請求項９】
前記第１の複数のバースト及び／または前記第２の複数のバーストは、第１のパターン期間によって分離され、
各バーストは、第２のパターン期間によって分離された複数のパルスを含み、
前記第１のパターン期間は前記第２のパターン期間よりも大きい、
先行請求項のいずれか一項に記載の方法。
【請求項１０】
前記第１の複数のバーストの少なくとも１つ内の２つ以上のパルスが異なる振幅を有し、及び／または、前記第２の複数のバーストの少なくとも１つ内の２つ以上のパルスが異なる振幅を有する、請求項９に記載の方法。
【請求項１１】
前記異なる振幅は、前記第１の複数のバーストまたは前記第２の複数のバーストのうちの少なくとも１つの前記バーストにおいて連続パルスの振幅のランプを生成するように選択される、請求項１０に記載の方法。
【請求項１２】
前記第１の複数のバーストのそれぞれにおける最終パルスの前記振幅が実質的に同一であるか、前記第２の複数のバーストのそれぞれにおける最終パルスの前記振幅が実質的に同一である、請求項９〜１１のいずれか一項に記載の方法。
【請求項１３】
前記第２の刺激の前記１つ以上の波形特性が周波数を含み、
前記周波数は、前記ＨＦＯの前記周波数を１、２、３または４で割った値に等しくなるように構成される、
先行請求項のいずれか一項に記載の方法。
【請求項１４】
前記ＨＦＯの前記１つ以上の波形特性が、周波数の変化率を含み、
前記第２の刺激の前記１つ以上の特性は、前記ＨＦＯの前記周波数の前記変化率を最大にするように構成される、
先行請求項のいずれか一項に記載の方法。
【請求項１５】
前記検出されたＨＦＯとＨＦＯテンプレートの間の相関を判定することをさらに含み、
前記第２の刺激は前記相関に基づいて生成される、先行請求項のいずれか一項に記載の方法。
【請求項１６】
前記ＨＦＯの前記１つ以上の判定された波形特性と１つ以上の所定の閾値との間の相関を判定することをさらに含み、
前記第２の刺激は前記相関に基づいて生成される、
先行請求項のいずれか一項に記載の方法。
【請求項１７】
前記ＨＦＯの前記判定された１つ以上の波形特性に基づいて、患者の患者状態を推定すること
をさらに含む、先行請求項のいずれか一項に記載の方法。
【請求項１８】
前記患者の状態の前記推定に基づいて前記患者を診断すること
をさらに含む、請求項１７に記載の方法。
【請求項１９】
前記推定された患者状態に関連する１つ以上の警告を生成すること、及び
前記１つ以上の警告を出力すること
をさらに含む、請求項１７または１８に記載の方法。
【請求項２０】
前記第２の刺激を加えながら、前記脳に植込まれた前記少なくとも１つの電極の１つ以上での神経活動による高周波振動（ＨＦＯ）を同時に検出すること、及び
前記第２の刺激を加えている間に前記検出されたＨＦＯの１つまたは複数の第２の波形特性を判定すること
をさらに含む、先行請求項のいずれか一項に記載の方法。
【請求項２１】
前記ＨＦＯの前記１つ以上の第１の波形特性及び前記ＨＦＯの前記１つ以上の第２の波形特性に基づいて、前記患者に関連する疾患の進行の程度を推定すること
をさらに含む、請求項２０に記載の方法。
【請求項２２】
前記ＨＦＯの前記１つ以上の第１の波形特性及び前記ＨＦＯの前記１つ以上の第２の波形特性に基づいて、前記患者に提供される治療法の効果を判定すること
をさらに含む、請求項２０または２１に記載の方法。
【請求項２３】
前記治療法が薬物及び脳深部刺激療法のうちの１つ以上を含む、請求項２２に記載の方法。
【請求項２４】
前記少なくとも１つの電極が、前記脳内の異なる神経構造内または前記脳の異なる半球内に配置される２つ以上の電極を含む、先行請求項のいずれか一項に記載の方法。
【請求項２５】
前記１つ以上の波形特性と前記１つ以上の第２の波形特性との間で共通の波形特性を比較することをさらに含む、請求項２０に記載の方法。
【請求項２６】
前記１つ以上の波形特性と前記１つ以上の第２の波形特性との間で共通の波形特性の変化の程度を比較することをさらに含む、請求項２０または２５に記載の方法。
【請求項２７】
前記１つ以上の波形特性と前記１つ以上の第２の波形特性との間で共通の波形特性の変化率を比較することをさらに含む、請求項２０または２５に記載の方法。
【請求項２８】
前記少なくとも１つの電極のうちの１つ以上が前記脳の標的神経構造に配置されていると判定されるまで、前記ＨＦＯの１つ以上の第２の波形特性を同時に判定しながら、前記第２の刺激を加えるステップが繰り返される、請求項２５〜２７のいずれか一項に記載の方法。
【請求項２９】
前記１つ以上の波形特性または前記１つ以上の第２の波形特性に基づいて、前記脳内の標的神経構造の治療的刺激に使用する前記少なくとも１つの電極のうちの前記１つ以上を選択すること、及び
前記少なくとも１つの電極のうちの選択された１つ以上を介して前記標的神経構造に治療的刺激を加えること
をさらに含む、請求項２０及び請求項２５〜２８のいずれか一項に記載の方法。
【請求項３０】
所定の軌道に沿って前記少なくとも１つの電極を前記脳に挿入することをさらに含み、
前記ＨＦＯの１つ以上の第２の波形特性を同時に判定しながら、前記第２の刺激を加えるステップが、前記少なくとも１つの電極が挿入されて前記脳の前記所定の軌道及び標的神経構造に関するＨＦＯ活動のプロファイルを生成している間に繰り返される、
請求項２０及び請求項２５〜２８のいずれか１つに記載の前記方法。
【請求項３１】
前記ＨＦＯ活動のプロファイルは、前記標的神経構造に対する前記１つ以上の電極の位置を判定するために使用される、請求項３０に記載の方法。
【請求項３２】
前記少なくとも１つの電極が複数の電極を含み、
前記ＨＦＯの１つ以上の第２の波形特性を同時に判定しながら、前記第２の刺激を加えるステップが、前記少なくとも１つの電極の異なる組み合わせを使用して、前記少なくとも１つの電極の前記異なる組み合わせのＨＦＯ活動のプロファイルを生成することを繰り返す、 
請求項２０または請求項２５〜２８のいずれか一項に記載の方法。
【請求項３３】
ＨＦＯ活動の前記プロファイルに基づいて、前記少なくとも１つの電極の１つ以上を選択すること、及び
前記少なくとも１つの電極のうちの前記選択された１つ以上に治療的刺激を加えること
をさらに含む、請求項３０または３２に記載の方法。
【請求項３４】
ｅ．前記脳の標的神経構造内またはその近くの前記少なくとも１つの電極の１つ以上での前記刺激によって誘発された前記標的神経構造からの共振応答を検出すること、及び
ｆ．前記検出された共振応答の１つ以上の波形特性を判定すること
をさらに含む、先行請求項のいずれか一項に記載の方法。
【請求項３５】
神経調節システムであって、
前記脳内の標的神経構造内またはその近くへの植込みに適合した少なくとも１つの電極を有するリード、
前記少なくとも１つの電極の１つ以上に選択的に連結される信号発生器であって、
前記少なくとも１つの電極のうちの１つまたは複数に第１の刺激を生成及び加えることであって、前記第１の刺激が第１の複数の刺激バーストを含む、前記第１の刺激を生成及び加えること、及び
前記少なくとも１つの電極のうちの１つまたは複数に第２の刺激を生成及び加えることであって、前記第２の刺激が第２の複数の刺激バーストを含む、前記第２の刺激を生成及び加えること
を行うように構成される、前記信号発生器、
前記少なくとも１つの電極の１つ以上に選択的に連結され、前記第１の刺激を加えている間の少なくとも一部に、前記脳に植込まれるときに前記少なくとも１つの電極の１つ以上で、神経活動から生成される約２００Ｈｚから約５００Ｈｚの高周波振動（ＨＦＯ）を検出するように構成される測定装置、及び
前記測定装置に連結され、前記検出されたＨＦＯの１つ以上の波形特性を判定するように構成された処理装置
を含み、
前記第２の刺激の１つ以上の波形特性は、前記ＨＦＯの前記１つ以上の波形特性に依拠する、前記システム。
【請求項３６】
前記第１の複数のバーストは、
第１の期間に適用され、第１の波形特性を有する第１のバーストと、
前記第１の期間に続く第２の期間に適用され、第２の波形の特性を有する少なくとも１つの第２のバーストと
を含む、請求項３５に記載のシステム。
【請求項３７】
前記処理装置が、
前記脳に植込まれた前記少なくとも１つの電極の１つ以上で、前記第１の期間中に第１の高周波振動（ＨＦＯ）を検出し、前記第２の期間中に少なくとも１つの第２のＨＦＯを検出すること
を行うように構成される、請求項３６に記載のシステム。
【請求項３８】
前記ＨＦＯの前記１つ以上の波形特性が、前記第１のＨＦＯ及び少なくとも第２のＨＦＯの１つ以上の波形特性を含む、請求項３７に記載のシステム。
【請求項３９】
前記ＨＦＯの前記１つ以上の波形特性が、以下の
ａ）周波数；
ｂ）振幅；
ｃ）周波数の変化率；
ｄ）振幅の変化率；及び
ｅ）帯域幅
のうちの１つ以上を含む、請求項３５〜３８のいずれか一項に記載のシステム。
【請求項４０】
前記第１波形特性及び前記第２の波形特性は、以下の
ａ）周波数；
ｂ）振幅；
ｃ）パルス幅；
ｄ）相間ギャップ
のうちの１つまたは複数を含む、請求項３６に従属する場合、請求項３６〜３９のいずれか一項に記載のシステム。
【請求項４１】
前記複数のバーストのうちの１つ以上が、
ａ）第１の位相と、前記第１の位相と反対の極性の第２の位相とを有する対称波形、及び
ｂ）第１の持続時間にわたって第１の振幅で第１の位相、及び前記第１の位相とは反対の極性の第２の位相を有する二相性波形であって、前記第２の位相が第２の振幅及び第２の持続時間を有し、前記第１の振幅と前記第１の持続時間の積は、前記第２の振幅と前記第２の持続時間の積に実質的に等しい、前記二相性波形
のうちの１つを含む、請求項３５〜４０のいずれか一項に記載のシステム。
【請求項４２】
前記第１の刺激及び／または前記第２の刺激が、治療的刺激または非治療的刺激である、請求項３５〜４１のいずれか一項に記載のシステム。
【請求項４３】
前記第１の複数のバースト及び／または前記第２の複数のバーストは、第１のパターン期間によって分離され、
各バーストは、第２のパターン期間によって分離された複数のパルスを含み、
前記第１のパターン期間は前記第２のパターン期間よりも大きい、
請求項３５〜４２のいずれか一項に記載のシステム。
【請求項４４】
前記第１の複数のバーストの少なくとも１つ内の２つ以上のパルスが異なる振幅を有し、及び／または、前記第２の複数のバーストの少なくとも１つ内の２つ以上のパルスが異なる振幅を有する、請求項４３に記載のシステム。
【請求項４５】
前記異なる振幅は、前記第１の複数のバーストまたは前記第２の複数のバーストのうちの少なくとも１つの前記バーストにおいて連続パルスの振幅のランプを生成するように選択される、請求項４４に記載のシステム。
【請求項４６】
前記第１の複数のバーストのそれぞれにおける最終パルスの前記振幅が実質的に同一であるか、前記第２の複数のバーストのそれぞれにおける最終パルスの前記振幅が実質的に同一である、請求項４３〜４５のいずれか一項に記載のシステム。
【請求項４７】
前記第２の刺激の前記１つ以上の波形特性が周波数を含み、
前記周波数は、前記第１のＨＦＯ及び／または前記第２のＨＦＯの前記周波数を１、２、３または４で割った値に等しくなるように構成される、
請求項３５〜４６のいずれか一項に記載のシステム。
【請求項４８】
前記ＨＦＯの前記１つ以上の波形特性が、周波数の変化率を含み、
前記第２の刺激の前記１つ以上の波形特性の前記１つ以上の特性は、前記ＨＦＯの前記周波数の前記変化率を最大にするよう構成される、
請求項３５〜４７のいずれか一項に記載のシステム。
【請求項４９】
前記処理装置が、さらに、前記検出されたＨＦＯとＨＦＯテンプレートの間の相関を判定することを行うように構成され、
前記第２の刺激は相関に基づいて生成される、
請求項３５〜４８のいずれか一項に記載のシステム。
【請求項５０】
前記処理装置が、さらに、前記ＨＦＯの前記１つ以上の判定された波形特性と１つ以上の所定の閾値との間の相関を判定することを行うように構成され、
前記第２の刺激は相関に基づいて生成される、
請求項４１〜５８のいずれか一項に記載のシステム。
【請求項５１】
前記処理装置が、さらに、前記ＨＦＯの前記判定された１つ以上の波形特性に基づいて、患者の患者状態を推定することを行うように構成される、請求項３５〜５０のいずれか一項に記載のシステム。
【請求項５２】
前記処理装置が、さらに、前記患者の状態の前記推定に基づいて前記患者を診断することを行うように構成される、請求項５１に記載のシステム。
【請求項５３】
前記処理装置が、さらに、
前記推定された患者状態に関連する１つ以上の警告を生成すること、及び
前記１つ以上の警告を出力すること
を行うように構成される、請求項５１または５２に記載のシステム。
【請求項５４】
前記処理装置が、さらに、
前記第２の刺激を加えながら、前記脳に植込まれた前記少なくとも１つの電極の１つ以上での神経活動による高周波振動（ＨＦＯ）を同時に検出すること、及び
前記第２の刺激を加えている間に前記検出されたＨＦＯの１つまたは複数の第２の波形特性を判定すること
を行うように構成される、請求項３５〜５３のいずれか一項に記載のシステム。
【請求項５５】
前記処理装置が、さらに、
前記ＨＦＯの前記１つ以上の第１の波形特性及び前記ＨＦＯの前記１つ以上の第２の波形特性に基づいて、前記患者に関連する疾患の進行の程度を推定すること
を行うように構成される、請求項５４に記載のシステム。
【請求項５６】
前記処理装置が、さらに、
前記ＨＦＯの前記１つ以上の第１の波形特性及び前記ＨＦＯの前記１つ以上の第２の波形特性に基づいて、前記患者に提供される治療法の効果を判定すること
を行うように構成される、請求項５４または５５に記載のシステム。
【請求項５７】
前記治療法が薬物または脳深部刺激療法である、請求項５６記載のシステム。
【請求項５８】
前記少なくとも１つの電極が、前記脳内の異なる神経構造内または前記脳の異なる半球内に配置される２つ以上の電極を含む、請求項３５〜５７のいずれか一項に記載のシステム。
【請求項５９】
前記処理装置が、さらに、前記１つ以上の波形特性と前記１つ以上の第２の波形特性の間で共通の波形特性を比較することを行うように構成される、請求項５４に記載のシステム。
【請求項６０】
前記処理装置が、さらに、前記１つ以上の波形特性と１つ以上の第２の波形特性との間の共通の波形特性の変化の程度を比較することを行うように構成される、請求項５４または５９に記載のシステム。
【請求項６１】
前記処理装置が、さらに、前記１つ以上の波形特性と前記１つ以上の第２の波形特性との間で共通の波形特性の変化率を比較することを行うように構成される、請求項５４または５９に記載のシステム。
【請求項６２】
前記少なくとも１つの電極のうちの１つ以上が前記脳の標的神経構造に配置されていると判定されるまで、前記ＨＦＯの１つ以上の第２の波形特性を同時に判定しながら、前記第２の刺激を加えるステップが繰り返される、請求項５９〜６１のいずれか一項に記載のシステム。
【請求項６３】
前記処理装置が、さらに
前記１つ以上の波形特性または前記１つ以上の第２の波形特性に基づいて、前記脳内の標的神経構造の治療的刺激に使用する前記少なくとも１つの電極のうちの前記１つ以上を選択すること、及び
前記少なくとも１つの電極のうちの選択された１つ以上を介して前記標的神経構造に治療的刺激を加えること
を行うように構成される、請求項５４及び請求項５９〜６１のいずれか一項に記載のシステム。
【請求項６４】
前記処理装置が、さらに
所定の軌道に沿って前記少なくとも１つの電極を前記脳に挿入することを行うように構成され、
前記ＨＦＯの１つ以上の第２の波形特性を同時に判定しながら、前記第２の刺激を加えるステップが、前記少なくとも１つの電極が挿入されて前記脳の前記所定の軌道及び標的神経構造に関するＨＦＯ活動のプロファイルを生成している間に繰り返される、
請求項５４及び請求項５９〜６１のいずれか一項に記載のシステム。
【請求項６５】
前記ＨＦＯ活動のプロファイルは、前記標的神経構造に対する前記１つ以上の電極の位置を判定するために使用される、請求項６４に記載のシステム。
【請求項６６】
前記少なくとも１つの電極が複数の電極を含み、
前記ＨＦＯの１つ以上の第２の波形特性を同時に判定しながら、前記第２の刺激を加えるステップが、前記少なくとも１つの電極の異なる組み合わせを使用して、前記少なくとも１つの電極の前記異なる組み合わせのＨＦＯ活動のプロファイルを生成することを繰り返す、
請求項５４及び請求項５９〜６１のいずれか一項に記載のシステム。
【請求項６７】
前記処理装置が、さらに、
ＨＦＯ活動の前記プロファイルに基づいて、前記少なくとも１つの電極の１つ以上を選択すること、及び
前記少なくとも１つの電極のうちの前記選択された１つ以上に治療的刺激を加えること
を行うように構成される、請求項６４または６６に記載のシステム。
【請求項６８】
前記処理装置が、さらに
ｅ．前記脳の標的神経構造内またはその近くの前記少なくとも１つの電極の１つ以上での前記刺激によって誘発された前記標的神経構造からの共振応答を検出すること、及び
ｆ．前記検出された共振応答の１つ以上の波形特性を判定すること
を行うように構成される、請求項３５〜６７のいずれか一項に記載のシステム。
【請求項６９】
脳の刺激に応答する神経活動をモニタする方法であって、
ａ．前記脳に植込まれた少なくとも１つの電極の１つ以上に第１の刺激を加えることであって、前記第１の刺激が第１の複数の刺激バーストを含む、前記第１の刺激を加えること、
ｂ．前記第１の刺激を加えている間の少なくとも一部に、前記脳に植込まれた前記少なくとも１つの電極の１つ以上で、神経活動による高周波振動（ＨＦＯ）を検出すること、
ｃ．前記ＨＦＯの１つ以上の波形特性を判定すること、
ｄ．第２の複数の刺激バーストを含む第２の刺激を生成することであって、前記第２の刺激の１つ以上の波形特性が、前記ＨＦＯの前記１つ以上の波形特性に依拠する、前記第２の刺激を生成すること、及び
ｅ．前記脳に植込まれた前記少なくとも１つの電極の１つ以上に前記第２の刺激を加えること
を含み、
前記第１の複数のバースト及び／または前記第２の複数のバーストは、第１のパターン期間によって分離され、
各バーストは、第２のパターン期間によって分離された複数のパルスを含み、
前記第１のパターン期間は前記第２のパターン期間より大きい、
前記方法。
【請求項７０】
前記第１の複数のバーストの少なくとも１つ内の２つ以上のパルスが異なる振幅を有し、及び／または、前記第２の複数のバーストの少なくとも１つ内の２つ以上のパルスが異なる振幅を有する、請求項６９に記載の方法。
【請求項７１】
前記異なる振幅は、前記第１の複数のバーストまたは前記第２の複数のバーストのうちの前記少なくとも１つの前記バーストにおける連続パルスの振幅のランプを生成するように選択される、請求項７０に記載の方法。
【請求項７２】
前記第１の複数のバーストのそれぞれにおける最終パルスの前記振幅が実質的に同一であるか、前記第２の複数のバーストのそれぞれにおける最終パルスの前記振幅が実質的に同一である、請求項６９〜７１のいずれか一項に記載の方法。
【請求項７３】
神経調節システムであって、
前記脳内の標的神経構造内またはその近くへの植込みに適合した少なくとも１つの電極を有するリード、
前記少なくとも１つの電極の１つ以上に選択的に連結される信号発生器であって、
前記少なくとも１つの電極のうちの１つまたは複数に第１の刺激を生成及び加えることであって、前記第１の刺激が第１の複数の刺激バーストを含む、前記第１の刺激を生成及び加えること、及び
前記少なくとも１つの電極のうちの１つまたは複数に第２の刺激を生成及び加えることであって、前記第２の刺激が第２の複数の刺激バーストを含む、前記第２の刺激を生成及び加えること、
を行うように構成される、前記信号発生器、
前記少なくとも１つの電極の１つ以上に選択的に連結され、前記第１の刺激を加えている間の少なくとも一部に、前記脳に植込まれるときに前記少なくとも１つの電極の１つ以上で、神経活動から生成される高周波振動（ＨＦＯ）を検出するように構成される測定装置、及び
前記測定装置に連結され、前記検出されたＨＦＯの１つ以上の波形特性を判定するように構成された処理装置
を含み、
前記第２の刺激の１つ以上の波形特性は、前記ＨＦＯの前記より多い波形特性の１つに依拠し、
前記第１の複数のバースト及び／または前記第２の複数のバーストは、第１のパターン期間によって分離され、
各バーストは第２のパターン期間によって分離された複数のパルスを含み、
前記第１のパターン期間は前記第２のパターン期間より大きい、
前記システム。
【請求項７４】
前記第１の複数のバーストの少なくとも１つ内の２つ以上のパルスが異なる振幅を有し、及び／または、前記第２の複数のバーストの少なくとも１つ内の２つ以上のパルスが異なる振幅を有する、請求項７３に記載のシステム。
【請求項７５】
前記異なる振幅は、前記第１の複数のバーストまたは前記第２の複数のバーストのうちの前記少なくとも１つの前記バーストにおける連続パルスの振幅のランプを生成するように選択される、請求項７４に記載のシステム。
【請求項７６】
前記第１の複数のバーストのそれぞれにおける最終パルスの前記振幅が実質的に同一であるか、前記第２の複数のバーストのそれぞれにおける最終パルスの前記振幅が実質的に同一である、請求項７３〜７５のいずれか一項に記載のシステム。
【請求項７７】
前記ＨＦＯが約２３０Ｈｚ〜約３３０Ｈｚの間の周波数を有する、請求項１〜３４及び請求項６９〜７２のいずれか一項に記載の方法。
【請求項７８】
前記ＨＦＯが約２５０Ｈｚ〜約３００Ｈｚの間の周波数を有する、請求項１〜３４及び請求項６９〜７２のいずれか一項に記載の方法。
【請求項７９】
前記ＨＦＯが約２３０Ｈｚ〜約３３０Ｈｚの間の周波数を有する、請求項３５〜６８及び請求項７３〜７６のいずれか一項に記載のシステム。
【請求項８０】
前記ＨＦＯが約２５０Ｈｚ〜約３００Ｈｚの間の周波数を有する、請求項３５〜６８及び請求項７３〜７６のいずれか一項に記載のシステム。
【発明の詳細な説明】
【技術分野】
【０００１】
関連出願
本願は、２０１７年５月２２日に出願されたオーストラリアの仮特許出願第２０１７９０１９３４号及び２０１７年８月２日に出願された国際特許出願ＰＣＴ／ＡＵ２０１７／０５０８０９号からの優先権を主張する。
【０００２】
本開示は、脳深部刺激療法（ＤＢＳ）に関し、特に、ＤＢＳ中に神経活動をモニタする方法及びシステムに関する。
【背景技術】
【０００３】
脳深部刺激療法（ＤＢＳ）は、運動障害ならびに他の神経障害、例えばてんかん、強迫性障害、及び鬱病に対する確立された治療法である。ＤＢＳは、通常、薬剤だけでは症状を適切に制御できない患者に施される。ＤＢＳは、通常、視床下核（ＳＴＮ）、淡蒼球内節（ＧＰｉ）、及び／または視床の脳の特定の神経構造内またはその近くに電極を外科的に植込むことを伴う。電極は通常体内に植込まれ、標的部位に電気パルスを送るように構成された神経刺激装置に接続されている。この電気刺激は、患者の症状と因果関係がある異常な脳活動を乱すと考えられている。刺激パラメータは、神経刺激装置に遠隔で接続された体外のコントローラを使用して調整できる。
【０００４】
確立されたＤＢＳ技術は運動障害の症状を緩和するのに効果的であることが証明されているが、最先端のデバイスにはいくつかの制限がある。特に、Ｘ線イメージング、微小電極記録、臨床評価などの、ＤＢＳ電極の脳内での正しい位置決めを確実にするための術中検査の確立された技術は、不正確になる可能性がある。その結果、電極は頻繁に最適以下の場所に植込まれ、治療結果が減少し、望ましくない副作用に至る。植込み後、ＤＢＳ装置は臨床医による手動の調整が必要である。これには通常、臨床医が患者の症状の即時または短期的な改善の主に主観的な評価に基づいて刺激のパラメータを調整することが含まれる。治療効果の出現が遅く、ＤＢＳパラメータのスペースが大きいため、好ましいパラメータのセットを見つける作業は時間とコストの面で非効率的であり、最適以下の治療結果につながる可能性がある。さらに、従来のＤＢＳを使用した電気刺激の恒常的な不変の適用は、ＤＢＳ刺激装置のバッテリー寿命の短縮と同様に、望ましくない副作用を含む最適以下の治療結果につながる可能性がある。
【発明の概要】
【０００５】
本開示の第１の態様によれば、脳の刺激に応答する神経活動をモニタする方法であって、
ａ．脳に植込まれた少なくとも１つの電極の１つ以上に第１の刺激を加えることであって、第１の刺激が第１の複数の刺激バーストを含む、第１の刺激を加えること、
ｂ．第１の刺激を加えている間の少なくとも一部に、脳に植込まれた少なくとも１つの電極の１つ以上で、神経活動による高周波振動（ＨＦＯ）を検出すること、
ｃ．ＨＦＯの１つ以上の波形特性を判定すること、及び
ｄ．第２の複数の刺激バーストを含む第２の刺激を生成することであって、第２の刺激の１つ以上の波形特性が、ＨＦＯの１つ以上の波形特性に依拠する、第２の刺激を生成すること、及び
ｅ．脳に植込まれた少なくとも１つの電極の１つ以上に第２の刺激を加えること
を含む、方法が提供される。
【０００６】
第１の複数のバーストは、第１の期間に適用され、第１の波形特性を有する第１のバーストと、第１の期間に続く第２の期間に適用され、第２の波形特性を有する少なくとも１つの第２のバーストとを含み得る。
【０００７】
脳に植込まれた少なくとも１つの電極の１つ以上での神経活動によるＨＦＯを検出することは、脳に植込まれた少なくとも１つの電極の１つ以上で、第１の期間中に第１の高周波振動（ＨＦＯ）を検出し、第２の期間中に少なくとも第２のＨＦＯを検出することをさらに含み得る。
【０００８】
ＨＦＯの１つ以上の波形特性は、第１のＨＦＯ及び少なくとも第２のＨＦＯの１つ以上の波形特性を含むことができる。
【０００９】
ＨＦＯの１つ以上の波形特性は、以下の
ａ）周波数；
ｂ）振幅；
ｃ）周波数の変化率；
ｄ）振幅の変化率；及び
ｅ）帯域幅
のうちの１つ以上を含んでもよい。
【００１０】
第１の波形特性及び第２の波形特性は、以下の
ａ）周波数；
ｂ）振幅；
ｃ）パルス幅；
ｄ）相間ギャップ
のうちの１つまたは複数を含むことができる。
【００１１】
複数のバーストのうちの１つまたは複数は、ａ）第１の位相と、第１の位相と反対の極性の第２の位相とを有する対称波形、及びｂ）第１の持続時間にわたって第１の振幅で第１の位相、及び第１の位相とは反対の極性の第２の位相を有する二相性波形であって、第２の位相が第２の振幅及び第２の持続時間を有し、第１の振幅と第１の持続時間の積は、第２の振幅と第２の持続時間の積に実質的に等しい二相性波形のうちの１つを含むことができる。
【００１２】
第１の刺激及び／または第２の刺激は、治療的刺激または非治療的刺激であり得る。
【００１３】
第１の複数のバーストは、第１のパターン期間によって分離されてもよく、第１の複数のバーストのそれぞれは、第２のパターン期間によって分離された複数のパルスを含む。第１のパターン期間は、第２のパターン期間よりも大きくてもよい。
【００１４】
同様に、第２の複数のバーストは、第１のパターン期間によって分離されてもよく、第１の複数のバーストのそれぞれは、第２のパターン期間によって分離された複数のパルスを含む。第１のパターン期間は、第２のパターン期間よりも大きくてもよい。
【００１５】
あるいは、第１のパターン期間は、第２のパターン期間に等しくてもよい。
【００１６】
第１の複数のバーストの少なくとも１つ内の２つ以上のパルスは、異なる振幅を有し得る。
【００１７】
第２の複数のバーストの少なくとも１つ内の２つ以上のパルスは、異なる振幅を有し得る。
【００１８】
異なる振幅は、第１の複数のバーストまたは第２の複数のバーストのうちの少なくとも１つのバーストにおいて連続パルスの振幅のランプを生成するように選択されてもよい。
【００１９】
第１の複数のバーストのそれぞれにおける最終パルスの振幅は、実質的に同一であってもよい。同様に、第２の複数のバーストのそれぞれにおける最終パルスの振幅は実質的に同一であり得る。
【００２０】
第２の刺激の１つ以上の波形特性は、検出されたＨＦＯの特性に依拠して構成される周波数を含んでもよい。
【００２１】
周波数は、ＨＦＯの周波数を１、２、３または４で割った値に等しくなるように構成されてもよい。
【００２２】
ＨＦＯの１つ以上の波形特性は、周波数の変化率を含むことができる。
【００２３】
第２の刺激の１つ以上の特性は、ＨＦＯの周波数の変化率を最大にするように構成され得る。
【００２４】
検出されるＨＦＯの周波数は、２００Ｈｚから５００Ｈｚの間であることが好ましい。
【００２５】
この方法は、検出されたＨＦＯとＨＦＯテンプレートの間の相関を判定すること、及び相関に基づいて第２の刺激を生成することをさらに含むことができる。
【００２６】
この方法は、ＨＦＯの１つ以上の判定された波形特性と１つ以上の所定の閾値との間の相関を判定すること、及び相関に基づいて第２の刺激を生成することをさらに含むことができる。
【００２７】
この方法は、ＨＦＯの判定された１つ以上の波形特性に基づいて、患者の患者状態を推定することをさらに含むことができる。
【００２８】
この方法は、患者の状態の推定に基づいて患者を診断することをさらに含むことができる。
【００２９】
この方法は、推定された患者状態に関連する１つ以上の警告を生成すること、及び１つ以上の警告を出力することをさらに含み得る。
【００３０】
この方法は、第２の刺激を加えながら、脳に植込まれた少なくとも１つの電極の１つ以上での神経活動による高周波振動（ＨＦＯ）を同時に検出すること、及び検出された第２の共振応答の１つまたは複数の第２の波形特性を判定することをさらに含むことができる。
【００３１】
この方法は、ＨＦＯの１つ以上の第１の波形特性及びＨＦＯの１つ以上の第２の波形特性に基づいて、患者に関連する疾患の進行の程度を推定することをさらに含み得る。
【００３２】
この方法は、ＨＦＯの１つ以上の第１の波形特性及びＨＦＯの１つ以上の第２の波形特性に基づいて、患者に提供される治療の効果を判定することをさらに含むことができる。
【００３３】
治療法は、薬物及び脳深部刺激療法の１つ以上を含み得る。
【００３４】
少なくとも１つの電極は、脳内の異なる神経構造内に配置される２つ以上の電極を備えてもよい。
【００３５】
少なくとも１つの電極は、脳の異なる半球内に配置される２つ以上の電極を備えてもよい。
【００３６】
この方法は、第２の刺激を加える間、ＨＦＯの１つ以上の第２の波形特性を同時に判定することをさらに含むことができる。
【００３７】
この方法は、さらに、１つ以上の波形特性と１つ以上の第２の波形特性との間で共通の波形特性を比較することを含むことができる。
【００３８】
この方法は、１つ以上の波形特性と１つ以上の第２の波形特性との間で共通の波形特性の変化の程度を比較することをさらに含むことができる。
【００３９】
この方法は、１つ以上の波形特性と１つ以上の第２の波形特性との間で共通の波形特性の変化率を比較することをさらに含むことができる。
【００４０】
少なくとも１つの電極のうちの１つ以上が脳の標的神経構造に配置されていると判定されるまで、ＨＦＯの１つ以上の第２の波形特性を同時に判定しながら、第２の刺激を加えるステップが繰り返され得る。
【００４１】
この方法はさらに、１つ以上の波形特性または１つ以上の第２の波形特性に基づいて、脳内の標的神経構造の治療的刺激に使用する少なくとも１つの電極のうちの１つ以上を選択すること、及び少なくとも１つの電極のうちの選択された１つ以上を介して標的神経構造に治療的刺激を加えることを含むことができる。
【００４２】
この方法は、所定の軌道に沿って脳内に少なくとも１つの電極を挿入することをさらに含むことができ、ＨＦＯの１つ以上の第２の波形特性を同時に判定しながら、第２の刺激を加えるステップが、少なくとも１つの電極が挿入されて脳の所定の軌道及び標的神経構造に関するＨＦＯ活動のプロファイルを生成している間に繰り返される。
【００４３】
ＨＦＯ活動のプロファイルは、標的神経構造に対する１つ以上の電極の位置を判定するために使用され得る。
【００４４】
少なくとも１つの電極は、複数の電極を備えてもよい。その場合、ＨＦＯの１つ以上の第２の波形特性を同時に判定しながら、第２の刺激を加えるステップが、少なくとも１つの電極の異なる組み合わせを使用して、少なくとも１つの電極の異なる組み合わせのＨＦＯ活動のプロファイルを生成することを繰り返すことができる。
【００４５】
この方法は、ＨＦＯ活動のプロファイルに基づいて、少なくとも１つの電極の１つ以上を選択すること、及び少なくとも１つの電極のうちの選択された１つ以上に治療的刺激を加えることをさらに含むことができる。
【００４６】
少なくとも１つの電極のうちの選択された１つ以上は、複数の電極を含むことができる。
【００４７】
この方法は、さらに
ｅ．脳の標的神経構造内またはその近くの少なくとも１つの電極の１つ以上での刺激によって誘発された標的神経構造からの共振応答を検出すること、及び
ｆ．検出された共振応答の１つ以上の波形特性を判定すること
含むことができる。
【００４８】
本開示のさらなる態様によれば、神経調節システムであって、
脳内の標的神経構造内またはその近くへの植込みに適合した少なくとも１つの電極を有するリード、
少なくとも１つの電極の１つ以上に選択的に連結される信号発生器であって、
少なくとも１つの電極のうちの１つまたは複数に第１の刺激を生成及び加えることであって、第１の刺激が第１の複数の刺激バーストを含む、第１の刺激を生成及び加えること、及び
少なくとも１つの電極のうちの１つまたは複数に第２の刺激を生成及び加えることであって、第２の刺激が第２の複数の刺激バーストを含む、第２の刺激を生成及び加えること
を行うように構成される信号発生器、
少なくとも１つの電極の１つ以上に選択的に連結され、第１の刺激を加えている間の少なくとも一部に、脳に植込まれるときに少なくとも１つの電極の１つ以上で、神経活動から生成される高周波振動（ＨＦＯ）を検出するように構成される測定装置、及び
測定装置に連結され、検出されたＨＦＯの１つ以上の波形特性を判定するように構成された処理装置
を含み、
第２の刺激の１つ以上の波形特性は、ＨＦＯの１つ以上の波形特性に依拠するシステムが提供される。
【００４９】
第１の複数のバーストは、第１の期間に適用され第１の波形特性を有する第１のバーストと、第１の期間に続く第２の期間に適用され第２の波形の特性を有する少なくとも１つの第２のバーストとを含み得る。
【００５０】
測定装置は、脳に植込まれた少なくとも１つの電極の１つ以上で、第１の期間中に第１の高周波振動（ＨＦＯ）を検出し、第２の期間中に少なくとも１つの第２のＨＦＯを検出することを行うように構成される。
【００５１】
ＨＦＯの１つ以上の波形特性は、第１のＨＦＯ及び少なくとも第２のＨＦＯの１つ以上の波形特性を含み得る。
【００５２】
ＨＦＯの１つ以上の波形特性は、以下の
ａ）周波数；
ｂ）振幅；
ｃ）周波数の変化率；
ｄ）振幅の変化率；及び
ｅ）帯域幅
のうちの１つまたは複数を含むことができる。
【００５３】
第１の波形特性及び第２の波形特性は、以下の
ａ）周波数；
ｂ）振幅；
ｃ）パルス幅；
ｄ）相間ギャップ
のうちの１つまたは複数を含むことができる。
【００５４】
複数のバーストのうちの１つ以上は、ａ）第１の位相と、第１の位相と反対の極性の第２の位相とを有する対称波形、及びｂ）第１の持続時間にわたって第１の振幅で第１の位相、及び第１の位相とは反対の極性の第２の位相を有する二相性波形であって、第２の位相が第２の振幅及び第２の持続時間を有し、第１の振幅と第１の持続時間の積は、第２の振幅と第２の持続時間の積に実質的に等しい二相性波形のうちの１つを含んでもよい。
【００５５】
第１の刺激及び／または第２の刺激は、治療的刺激または非治療的刺激であり得る。
【００５６】
第１の複数のバーストは、第１のパターン期間によって分離されてもよく、各バーストは、第２のパターン期間によって分離された複数のパルスを含む。追加または代替として、第１の複数のバーストは、第１のパターン期間によって分離されてもよく、各バーストは、第２のパターン期間によって分離された複数のパルスを含む。
【００５７】
いずれの場合でも、第１のパターン期間は第２のパターン期間より大きくてもよい。あるいは、第１のパターン期間は、第２のパターン期間以上であってもよい。
【００５８】
第１の複数のバーストの少なくとも１つ内の２つ以上のパルスは、異なる振幅を有し得る。追加的または代替的に、第２の複数のバーストの少なくとも１つ内の２つ以上のパルスは、異なる振幅を有し得る。
【００５９】
異なる振幅は、第１の複数のバーストまたは第２の複数のバーストのうちの少なくとも１つのバーストにおいて連続パルスの振幅のランプを生成するように選択されてもよい。
【００６０】
第１の複数のバーストのそれぞれにおける最終パルスの振幅は、実質的に同一であってもよい。追加的または代替的に、第２の複数のバーストのそれぞれにおける最終パルスの振幅は、実質的に同一であり得る。
【００６１】
第２の刺激の１つ以上の波形特性は、検出されたＨＦＯの周波数に依拠して構成される周波数を含むことができる。
【００６２】
周波数は、第１のＨＦＯ及び／または第２のＨＦＯの周波数を１、２、３または４で割った値に等しくなるように構成されてもよい。
【００６３】
ＨＦＯの１つ以上の波形特性は、周波数の変化率を含み得る。第２の刺激の１つ以上の波形特性の１つ以上の特性は、ＨＦＯの周波数の変化率を最大化するように構成され得る。
【００６４】
検出されているＨＦＯの周波数は、好ましくは２００Ｈｚから５００Ｈｚの間である。
【００６５】
システムは、さらに、検出されたＨＦＯをＨＦＯテンプレートと相関させること、及び相関に基づいて第２の刺激を生成することができる。
【００６６】
処理装置は、さらに、検出されたＨＦＯとＨＦＯテンプレートとの間の相関を判定すること、及び相関に基づいて第２の刺激を生成することを行うように構成されてもよい。
【００６７】
処理装置はさらに、ＨＦＯの１つ以上の判定された波形特性と１つ以上の所定の閾値との間の相関を判定すること、及び相関に基づいて第２の刺激を生成することを行うように構成されてもよい。
【００６８】
処理装置はさらに、ＨＦＯの判定された１つ以上の波形特性に基づいて、患者の患者状態を推定することを行うように構成されてもよい。
【００６９】
処理装置はさらに、患者の状態の推定に基づいて患者を診断することを行うように構成されてもよい。
【００７０】
処理装置は、さらに、推定された患者状態に関連する１つ以上の警告を生成すること、及び１つ以上の警告を出力することを行うように構成されてもよい。
【００７１】
処理装置は、さらに、第２の刺激を加えながら、脳に植込まれた少なくとも１つの電極の１つ以上での神経活動による高周波振動（ＨＦＯ）を同時に検出すること、及び第２の刺激を加えている間に検出されたＨＦＯの１つまたは複数の第２の波形特性を判定することを行うように構成されてもよい。
【００７２】
処理装置は、さらに、ＨＦＯの１つ以上の第１の波形特性及びＨＦＯの１つ以上の第２の波形特性に基づいて、患者に関連する疾患の進行の程度を推定することを行うように構成され得る。
【００７３】
処理装置は、さらに、ＨＦＯの１つ以上の第１の波形特性及びＨＦＯの１つ以上の第２の波形特性に基づいて、患者に提供される治療法の効果を判定することを行うように構成され得る。
【００７４】
治療は、薬物または脳深部刺激療法であってよい。
【００７５】
少なくとも１つの電極は、脳内の異なる神経構造内に配置される２つ以上の電極を備えてもよい。
【００７６】
少なくとも１つの電極は、脳の異なる半球内に配置される２つ以上の電極を備えてもよい。
【００７７】
処理装置は、さらに、第２の刺激を適用しながら、ＨＦＯの１つ以上の第２の波形特性を同時に判定するように構成されてもよい。
【００７８】
処理装置は、さらに、１つ以上の波形特性と１つ以上の第２の波形特性との間で共通の波形特性を比較することを行うように構成されてもよい。
【００７９】
処理装置は、さらに、１つ以上の波形特性と１つ以上の第２の波形特性との間の共通波形特性の変化の程度を比較することを行うように構成されてもよい。
【００８０】
処理装置は、１つ以上の波形特性と１つ以上の第２の波形特性との間の共通波形特性の変化率を比較することを行うようにさらに構成されてもよい。
【００８１】
少なくとも１つの電極の１つ以上が脳の標的神経構造に位置すると判定されるまで、ＨＦＯの１つ以上の第２の波形特性を同時に判定しながら、第２の刺激を加えるステップは、繰り返され得る。
【００８２】
処理装置は、さらに、１つ以上の波形特性または１つ以上の第２の波形特性に基づいて、脳内の標的神経構造の治療的刺激に使用する少なくとも１つの電極の１つ以上を選択すること、及び少なくとも１つの電極のうちの選択された１つ以上を介して標的神経構造に治療的刺激を加えることを行うように構成され得る。
【００８３】
処理装置は、さらに、所定の軌道に沿って少なくとも１つの電極を脳に挿入することを行うように構成でき、ＨＦＯの１つ以上の第２の波形特性を同時に判定しながら、第２の刺激を加えるステップが、少なくとも１つの電極が挿入されて脳の所定の軌道及び標的神経構造に関するＨＦＯ活動のプロファイルを生成している間に繰り返される。
【００８４】
ＨＦＯ活動のプロファイルは、標的神経構造に対する１つ以上の電極の位置を判定するために使用され得る。
【００８５】
少なくとも１つの電極は、複数の電極を備えてもよい。その場合、ＨＦＯの１つ以上の第２の波形特性を同時に判定しながら、第２の刺激を加えるステップが、少なくとも１つの電極の異なる組み合わせを使用して、少なくとも１つの電極の異なる組み合わせのＨＦＯ活動のプロファイルを生成することを繰り返すことができる。
【００８６】
処理装置はさらに、ＨＦＯ活動のプロファイルに基づいて、少なくとも１つの電極の１つ以上を選択すること、及び少なくとも１つの電極のうちの選択された１つ以上に治療的刺激を加えることを行うように構成されてもよい。
【００８７】
少なくとも１つの電極の選択された１つ以上は、複数の電極を備えてもよい。
【００８８】
処理装置は、さらに、
ｅ．脳の標的神経構造内またはその近くの少なくとも１つの電極の１つ以上での刺激によって誘発された標的神経構造からの共振応答を検出すること、及び
ｆ．検出された共振応答の１つ以上の波形特性を判定すること
を行うように構成され得る。
【００８９】
本開示のさらなる態様によれば、脳内の刺激に応答する神経活動をモニタする方法であって、
ａ．脳に植込まれた少なくとも１つの電極の１つ以上に第１の刺激を加えることであって、第１の刺激が第１の複数の刺激バーストを含む、第１の刺激を加えること、
ｂ．第１の刺激を加えている間の少なくとも一部に、脳に植込まれた少なくとも１つの電極の１つ以上で、神経活動による高周波振動（ＨＦＯ）を検出すること、
ｃ．ＨＦＯの１つ以上の波形特性を判定すること、及び
ｄ．第２の複数の刺激バーストを含む第２の刺激を生成することであって、第２の刺激の１つ以上の波形特性が、ＨＦＯの波形特性の１つ以上の波形特性に依拠する、第２の刺激を生成すること、及び
ｅ．脳に植込まれた少なくとも１つの電極の１つ以上に第２の刺激を加えること
を含み、
第１の複数のバースト及び／または第２の複数のバーストは第１のパターン期間によって分離され、各バーストは第２のパターン期間によって分離された複数のパルスを含み、第１のパターン期間は第２のパターン期間より大きい方法が提供される。
【００９０】
いくつかの実施形態では、第１の複数のバーストのうちの少なくとも１つ内の２つ以上のパルスは、異なる振幅を有する。追加的または代替的に、第２の複数のバーストの少なくとも１つ内の２つ以上のパルスは異なる振幅を有する。
【００９１】
異なる振幅は、第１の複数のバーストまたは第２の複数のバーストのうちの少なくとも１つのバーストにおいて連続パルスの振幅のランプを生成するように選択されてもよい。
【００９２】
第１の複数のバーストのそれぞれにおける最終パルスの振幅は、実質的に同一であり得る。追加的または代替的に、第２の複数のバーストのそれぞれにおける最終パルスの振幅は、実質的に同一であり得る。
【００９３】
本開示のさらなる態様によれば、神経調節システムであって、脳内の標的神経構造内またはその近くへの植込みに適合した少なくとも１つの電極を有するリード、
少なくとも１つの電極の１つ以上に選択的に連結される信号発生器であって、
少なくとも１つの電極のうちの１つまたは複数に第１の刺激を生成及び加えることであって、第１の刺激が第１の複数の刺激バーストを含む、第１の刺激を生成及び加えること、及び
少なくとも１つの電極のうちの１つまたは複数に第２の刺激を生成及び加えることであって、第２の刺激が第２の複数の刺激バーストを含む、第２の刺激を生成及び加えること、
を行うように構成される信号発生器、
少なくとも１つの電極の１つ以上に選択的に連結され、第１の刺激を加えている間の少なくとも一部に、脳に植込まれるときに少なくとも１つの電極の１つ以上で、神経活動から生成される高周波振動（ＨＦＯ）を検出するように構成される測定装置、及び
測定装置に連結され、検出されたＨＦＯの１つ以上の波形特性を判定するように構成された処理装置
を含み、
第２の刺激の１つ以上の波形特性は、ＨＦＯのより多い波形特性の１つに依拠し、
第１の複数のバースト及び／または第２の複数のバーストは第１のパターン期間によって分離され、
各バーストは第２のパターン期間によって分離された複数のパルスを含み、
第１のパターン期間は第２のパターン期間より大きい、システムが提供される。
【００９４】
いくつかの実施形態では、第１の複数のバーストのうちの少なくとも１つ内の２つ以上のパルスは、異なる振幅を有する。追加的または代替的に、第２の複数のバーストのうちの少なくとも１つ内の２つ以上のパルスは、異なる振幅を有し得る。
【００９５】
異なる振幅は、第１の複数のバーストまたは第２の複数のバーストのうちの少なくとも１つのバーストにおいて連続パルスの振幅のランプを生成するように選択されてもよい。
【００９６】
第１の複数のバーストのそれぞれにおける最終パルスの振幅は、実質的に同一であり得る。第２の複数のバーストのそれぞれにおける最終パルスの振幅は、実質的に同一であり得る。
【００９７】
いくつかの実施形態では、検出されているＨＦＯは、約２００Ｈｚ〜約３５０Ｈｚの間の周波数を有し得る。
【００９８】
いくつかの実施形態では、検出されているＨＦＯは、約２３０Ｈｚ〜約３３０Ｈｚの間の周波数を有し得る。
【００９９】
いくつかの実施形態では、ＨＦＯは、約２５０Ｈｚ〜約３００Ｈｚの間の周波数を有し得る。
【０１００】
これより図面を参照して、本開示の実施形態が非限定的な例により説明される。
【図面の簡単な説明】
【０１０１】
【図１】脳深部刺激療法（ＤＢＳ）信号に応答する神経構造からの共振を示すグラフである。
【図２】パターン化ＤＢＳ信号に応答する神経構造からの共振を示すグラフである。
【図３】ＤＢＳ信号の１０個の連続パルスに応答する誘発共振を示すグラフである。
【図４】継続的なパターン化ＤＢＳに対する共振応答の振幅のピークの範囲及び分散を示すグラフである。
【図５】図５ａは、継続的な非治療的パターン化ＤＢＳ信号によって誘発される神経の共振を示すグラフの図示である。図５ｂは、継続的な治療的パターン化ＤＢＳ信号によって誘発される神経の共振を示すグラフの図示である。図５ｃは、継続的な治療的ＤＢＳ信号から非治療的ＤＢＳ信号への移行後の神経の共振を示すグラフの図示である。図５ｄは、非治療的ＤＢＳ信号に応答する誘発共振の推定周波数を示すグラフである。図５ｅは、治療的ＤＢＳ信号に応答する誘発共振の推定周波数を示すグラフである。図５ｆは、治療的ＤＢＳ信号と非治療的ＤＢＳ信号との間の移行に応答する誘発共振の推定周波数を示すグラフである。
【図６】図６ａは、継続的な非治療的パターン化ＤＢＳ信号によって誘発される神経の共振を示すグラフの図示である。図６ｂは、継続的な治療的パターン化ＤＢＳ信号によって誘発される神経の共振を示すグラフの図示である。図６ｃは、継続的な治療的ＤＢＳ信号から非治療的ＤＢＳ信号への移行後の神経の共振を示すグラフの図示である。図６ｄは、非治療的ＤＢＳ信号に応答する誘発共振の推定周波数を示すグラフである。図６ｅは、治療的ＤＢＳ信号に応答する誘発共振の推定周波数を示すグラフである。図６ｆは、治療的ＤＢＳ信号と非治療的ＤＢＳ信号との間の移行に応答する誘発共振の推定周波数を示すグラフである。
【図７】図７ａは、１．５ｍＡの振幅を有するパターン化ＤＢＳに応答して２つのピークに発散し始めた誘発共振を示すグラフである。図７ｂは、２．２５ｍＡの振幅を有するパターン化ＤＢＳに応答して２つのピークに発散する誘発共振を示すグラフである。図７ｃは、３．３７５ｍＡの振幅を有するパターン化ＤＢＳに応答して２つの別個の誘発された共振ピークを示すグラフである。
【図８】図８ａ〜図８ｈは、脳深部刺激療法中に脳で記録された高周波振動のスペクトログラムである。
【図９】図９ａ〜図９ｈは、脳深部刺激療法中に脳で記録された高周波振動のスペクトログラムである。
【図１０】図１０ａ〜図１０ｈは、脳深部刺激療法中に脳で記録された高周波振動のスペクトログラムである。
【図１１】脳への植込みのための電極リード先端の概略図である。
【図１２】脳の視床下核に植込まれた電極リードの概略図である。
【図１３】ＤＢＳを施すためのシステムの概略図である。
【図１４】脳内のＤＢＳ電極の位置を特定するプロセスを示すフロー図である。
【図１５】複数の電極での刺激に応答して、複数の電極での共振応答をモニタ及び処理するプロセスを示すフロー図である。
【図１６】図１２に示されるプロセスに従って、刺激信号に応答する脳に植込まれた異なる電極で測定された共振応答のグラフの図示である。
【図１７】図１２に示されるプロセスに従って、異なる電極に加えられる刺激信号に応答する、脳に植込まれた異なる電極で測定された共振応答のグラフの図示である。
【図１８】患者への投薬に基づいてＤＢＳ刺激信号のパラメータを判定するプロセスを示すフロー図である。
【図１９】患者への投薬に基づいてＤＢＳ刺激信号のパラメータを判定するためのプロセスを示すフロー図である。
【図２０】標的神経構造で誘発された共振に基づいて、閉ループフィードバックで刺激信号を生成するプロセスを示すフロー図である。
【図２１】脳内の神経活動からのＨＦＯに基づいて、閉ループフィードバックで刺激信号を生成するプロセスを示すフロー図である。
【図２２】標的神経構造における誘発共振に基づいて、閉ループフィードバックで刺激信号を生成するための別のプロセスを示すフロー図である。
【図２３】図１７のプロセスによる誘発反応の共振活動特徴に対する治療的刺激期間と非治療的刺激期間との間の切り替えをグラフで示す。
【図２４】図２４ａは、本開示の実施形態によるパターン化刺激信号を示す。図２４ｂは、本開示の実施形態による別のパターン化刺激信号を示す。
【図２５】脳内の神経活動からのＨＦＯに基づいて閉ループフィードバックで刺激信号を生成するための別のプロセスを示すフロー図である。
【図２６Ａ】ＤＢＳ後の継続した１５秒間にわたる２００〜４００Ｈｚのウォッシュアウト及び１９の脳半球の最後の１５秒間のプレＤＢＳにおけるウォッシュアウトをグラフで示している。
【図２６Ｂ】ＤＢＳ後の継続した１５秒間にわたる２００〜４００Ｈｚのウォッシュアウト及び１９の脳半球の最後の１５秒間のプレＤＢＳにおけるウォッシュアウトをグラフで示している。
【発明を実施するための形態】
【０１０２】
本開示の実施形態は、脳における神経刺激の改善に関する。ＤＢＳ装置は通常、１３０Ｈｚの一定周波数で脳の標的領域に一定振幅の刺激を加える。本発明者らは、そのような刺激の適用が脳の標的領域からの神経反応を誘発するだけでなく、神経反応が先行して認識されていない共振成分（誘発共振神経活動（ＥＲＮＡ））を含むと判定した。従来の周波数での継続的ＤＢＳでは、共振活動を観察するのに十分な長さの時間枠を確保できない。しかし、刺激が停止した後に神経刺激をモニタすることにより（刺激信号のパターン化などにより）、共振活動をモニタできる。本発明者らは、本発明の実施形態が、運動疾患に関連する身体的影響、ならびに他の神経学的状態、神経精神障害、感覚障害、及び疼痛の有害な影響の両方を低減する用途を有することに気付いた。図１〜図７ｃは、測定されたＥＲＮＡに対するパターン化刺激と非パターン化刺激の効果を示している。
【０１０３】
上記に加えて、本発明者らは、ＥＥＧやＭＥＧの信号により測定される局所電場電位に反映されるようなニューロンの振動はまたＤＢＳにより影響されることを認識した。特に、脳に植込まれたＤＢＳの電極によって局所電場電位で測定される２００〜５００Ｈｚの範囲の高周波神経振動（ＨＦＯ）がＤＢＳの影響を受けるように見えることを、本発明者は見出している。この点に気付いたことにより、本発明者らは、測定されたＨＦＯの特性に基づいて最適なＤＢＳ治療パラメータを選択する新しい技術を開発することになった。図１は、パーキンソン病（ＰＤ）患者の視床下核（ＳＴＮ）に植込まれた、Ｍｅｄｔｒｏｎｉｃ（ＲＴＭ）製の３３８７電極リードなどの電極リードを介して、神経刺激装置から供給される１３０Ｈｚの信号によって刺激された神経回路からの応答をグラフで示している。刺激パルスへの各応答は、ＥＣＡＰ後に発生する誘発共振神経活動（ＥＲＮＡ）の成分とともに、誘発複合活動電位（ＥＣＡＰ）の成分を含む。ＥＣＡＰは通常、刺激パルスの１〜２ミリ秒以内に発生する。グラフは、その後に無刺激期間が続く、６０秒間の継続刺激の最後の３つの連続パルスへの応答を示している。図１に示す最初の２つの刺激パルスのそれぞれに対する誘発された共振応答は、次の刺激パルスの開始により短くカットされ、単一の二次ピークのみが検出されることが見て取れる。ただし、第３の（また最後の）パルスに対する誘発された共振応答は、より長く共振することができるため、約３０ミリ秒の刺激後期間で少なくとも７つのピークの減衰振動の形で明確に見ることができる。
【０１０４】
上述のように、臨床医がＤＢＳパラメータを制御及び調整して、患者の治療効果を引き出すことは知られている。本発明者らは、ＤＢＳパラメータを特定の方法で制御することにより、いずれの治療的影響をも与えず、または望ましくない副作用を引き起こすことなく、患者に共振神経反応（ＥＲＮＡ）を引き起こす非治療的刺激を与えられることに気付いた。このような非治療的刺激は、共振神経回路または患者の症状の状態を持続的に変化させることなく、信頼性の高いＥＲＮＡの測定をするのに使用できる。非治療的刺激は、パルスの短いバーストとそれに続く刺激のない期間を含む刺激を施すことによって達成されることが好ましく、ＥＲＮＡはこの刺激のない期間中に測定される。そうすることで、患者に提供される総電荷またはエネルギーは治療閾値を下回り、測定されたＥＲＮＡは患者の自然の状態（治療なし）に関する情報を提供する。代替実施形態では、刺激信号の振幅を治療閾値未満に減少させることにより、患者に提供される全体的な電荷またはエネルギーを減少させることができる。ただし、そうすると、また、ＥＲＮＡのピークの振幅が小さくなり、観測が困難になる場合がある。
【０１０５】
上記に加えて、本発明者らは、パターン化刺激を使用して、患者の治療的刺激中に誘発された共振神経活動をモニタ及び分析できるということを判定した。刺激信号をパターン化することにより、最初の共振ピークを過ぎた共振応答、またはより好ましくは２つ以上の共振ピークを過ぎた共振応答をモニタする時間枠を提供しながら、治療的刺激を維持することができる。
【０１０６】
図２は、本開示の実施形態による、例示的な治療的パターン化ＤＢＳ刺激２０及び関連する誘発共振応答をグラフで示す。パターン化刺激２０は、刺激と反応の間の相関関係を示すべくグラフの上方に示されている。パターン化刺激では、他においては継続している１３０Ｈｚのパルス列から単一のパルスが省略されている。したがって、パルス列は、継続刺激のパルスの複数のバーストを含んでおり、各バーストが第１の期間ｔ１により分離され、複数のパルスの各々が第２の期間ｔ２により分離されている。あるパルス（または２つ以上のパルス）を省く前後で刺激を継続させることが、ＤＢＳの治療上の性質を維持させるが、パルスを省くことは、次の刺激パルスがその共振を中断する前、複数（この例では３つ）の共振サイクルにわたってＥＲＮＡの共振をモニタできるようにする。
【０１０７】
要約すると、非治療的刺激及び治療的刺激をパターン化することにより、誘発反応は、従来の非パターン化刺激の場合よりも長期間にわたってモニタすることができる。したがって、刺激は、好ましくは複数のパルスのバーストで適用され、各バーストは無刺激の第１の期間ｔ１により分離され、各パルスは第２の期間ｔ２により分離される。例えば、刺激信号は、１３０Ｈｚで一連の１０パルスのバーストを含み得る。結果の再現性を高めるために、所定期間無刺激にした後にマルチパルスバーストを繰り返してもよい。例えば、マルチパルスバーストを毎秒繰り返してもよい。第１の期間ｔ１の持続時間は、第２の期間ｔ２の持続時間よりも長い。バーストの持続時間とバースト間の持続時間の比率は、ＥＲＮＡの関連する特性を簡単かつ効率的にモニタできるように選択できる。いくつかの実施形態では、各バーストの持続時間は、バースト間の無刺激の持続時間の１％から２０％の間になるように選択される。
【０１０８】
他の実施形態では、各バーストの持続時間は、測定されたＥＲＮＡに対する刺激の影響を最小化するために、または測定されたＥＲＮＡの特定の特徴を強調するために選択され得る。図３は、１３０Ｈｚでの１０パルスの適用がＥＲＮＡにどのように影響し得るかをグラフで示している。最初のパルスに対する応答には、幅の広い低振幅の最初のピークがある。最初のピークは、後続のパルスに対してより大きく、より鋭くなるが、またより早い時間にシフトする。いくつかの実施形態では、バーストに含まれるパルスの最適な数は、バースト（例えば、第４のパルス）全体のＥＲＮＡのピークの時間のシフトを最小限に抑えながら、共振の振幅を最大化するように選択することができる。他の実施形態では、バーストにおける継続するパルスにわたるＥＲＮＡの特徴の変化率（例えば、振幅、開始の遅れ）を定義特性として使用することができる。例えば、バースト全体の変化率は、電極の位置、最適パラメータ、患者の状態などを判定するために、及び／または閉ループ制御信号として使用することができる。
【０１０９】
バースト（例えば１０パルス）刺激を使用すると、高振幅誘発神経応答がもたらされ、より継続的なＤＢＳに対する応答よりも、測定が容易になる。図４は、より継続的なＤＢＳに応答するＥＲＮＡの最初のピーク振幅の範囲と分散をグラフで示しており、それにおいては１秒ごとに１パルスがスキップされ（左）、またバーストＤＢＳ（右）である（１秒あたり１０パルスのみ）。バーストＤＢＳに応答するＥＲＮＡの平均ピーク振幅は約３１０μＶであるが、より継続的なＤＢＳに応答するＥＲＮＡの平均ピーク振幅は約１４０μＶである。さらに、バースト刺激を使用することにより、いくつかの振動サイクル（２０ミリ秒以上）にわたる誘発された共振応答をモニタできることが見て取れる。
【０１１０】
ＥＲＮＡの特性を分析することにより、本発明者らは、ＥＲＮＡの波形特性（固有振動数、減衰係数、エンベロープ、微細構造、開始の遅れ、変化率など）は、患者の様々な生理学的状態に依拠していると判定した。例えば、治療的ＤＢＳは目的の神経回路の共振周波数を低下させることがわかっている。
【０１１１】
図５ａ、図５ｂ、及び図５ｃは、非治療的刺激間のＥＲＮＡ（図５ａ）、治療的刺激間のＥＲＮＡ（図５ｂ）、及び治療的刺激から非治療的刺激への刺激移行後のＥＲＮＡ（図５ｃ）の周波数の変動を示す。ＥＲＮＡの２ピークの最大値の間における時間の遅れの逆数を計算することにより、ＥＲＮＡの共振周波数を測定した。他の実施形態では、共振周波数は、ＥＲＮＡの検出されたすべてのピークの最大値の間における時間の遅れの平均の逆数として計算してもよい。さらなる実施形態では、共振周波数は、減衰振動子モデルを共振活動に適合させて、固有周波数を抽出することにより、またはスペクトル分析（例えば、フーリエ変換、ウェーブレット変換）を実行することにより計算され得る。この目的のために、波形のゼロ交差間の時間を推定する、波形の他の特徴を使用するなどの、周波数を推定する他の手法も使用できる。
【０１１２】
示される例で、パターン化刺激が、図１及び図２を参照しながら説明されたのと同じ方法で患者に投与された。図５ａ及び図５ｂは、パターン化された非治療的及び治療的ＤＢＳ刺激に対する応答をそれぞれ示す。この例では、非治療的刺激は、残りの１２０パルス（継続刺激中に存在する）をスキップして、１秒の期間にわたって１３０Ｈｚの周波数で供給される１０パルスのバーストからなっていた。応答の典型的な観測可能な枠（継続（パターン化されていない）ＤＢＳの間）は、水平の点線で示している。パターン化された非治療的刺激では、ＥＲＮＡの振幅と周波数は比較的一定のままであることがわかり、刺激が経時的に標的の神経構造の共振の状態に強く影響しなかったことを示している。さらに、ＥＲＮＡの２つの共振ピーク（黒で表している）が、非パターン化刺激の典型的な観測可能な枠で見ることができる。次いで、図５ｂは、残りの１パルスがスキップされ、３．３７５ｍＡでの治療的パターン化ＤＢＳ刺激に対する応答を示しており、それにおいては１３０Ｈｚの速度で毎秒１２９パルスが供給されている。
【０１１３】
治療信号は、ＥＲＮＡの周波数を低下させ、ひいては、継続的な（パターン化されていない）刺激のために、典型的に観察可能な枠の外側にＥＲＮＡの第２の共振ピークを移動させる潜在可能性がある。しかし、１つ以上のパルスをスキップして刺激をパターン化することにより、刺激パルスが省略されている期間中の後続のピークとともに、ＥＲＮＡの共振特性を測定し続けることができる。さらに、第３及び第４の共振ピークの振幅は、非治療的応答と比較して増加していることがわかる。
【０１１４】
単に周期的なパルス列のパルスを省くのではなく、むしろ刺激をパターン化する代替的な方法は、ＥＲＮＡのモニタリングを改善する可能性がある。例えば、パルスの振幅は経時的に変調させることができ、例えばバースト内のいくつかのパルスにわたってパルスの振幅を増加させるためのランプ、及び／またはバースト内のいくつかのパルスにわたってパルスの振幅を減少させるためのランプを適用することが挙げられる。ＥＲＮＡのモニタリングを強化するには、観測枠に先行するパルスに固定の振幅を適用することが有利な場合があり、その振幅が他の時間に適用される振幅と異なる場合（例えば、治療効果を最大化するため）、ランプの振幅にランプを適用して振幅の急激なステップ状の変化を避けることが有利であり得る。
【０１１５】
次に、図５ｃは、非治療的パターン化刺激に切り替えて戻した後の応答を示す。この場合、パターン化された治療的刺激の治療効果は「洗い流され」、ＥＲＮＡはベースラインの状態に戻る。すべての条件（通常、従来の継続的ＤＢＳを使用して測定できるものすべて）での共振活動の最初のピークは、治療的ＤＢＳによって大きくは変動しないことがわかる。ただし、刺激のパターン化によって測定可能になったＥＲＮＡ波形の後続部分の特性は、周波数と振幅のはるかに大きい変化を呈する。したがって、より長い期間にわたって応答をモニタすることにより、周波数、振幅、エンベロープ、及び経時変化する振動の微細構造に関する情報を分析できるようになる。
【０１１６】
この効果は、図５ｄ、図５ｅ、及び図５ｆによってさらに説明される。図５ｄは、非治療的刺激の期間中のＥＲＮＡの共振周波数が約４００〜４５０Ｈｚであることを示している。図５ｅに示すように、臨床的に有効な刺激（患者の疾患の症状を積極的に軽減するように動作可能な刺激）はＥＲＮＡの周波数を約３００〜３５０Ｈｚに減らす。図５ｆは、治療的刺激が非治療的刺激に置き換えられた後、３００〜３５０Ｈｚから約４００〜４５０Ｈｚに戻る共振周波数の移行を示している。
【０１１７】
図６ａ、図６ｂ、及び図６ｃは、非治療パターン刺激の間のＥＲＮＡ（図６ａ）、治療パターン刺激の間のＥＲＮＡ（図６ｂ）、及び治療的刺激から非治療的刺激に移行した後のＥＲＮＡ（図６ｃ）の変動のある、異なる患者から得た別の例を示す。この例では、図５ａ〜図５ｅを参照しながら説明したのと同じ方法で、パターン化刺激を患者に与えた。前の例と同様に、初期の非治療的刺激（図６ａ）はＥＲＮＡに目立った変化を引き起こさないこと、及び治療的刺激（図６ｂ）は共振の周波数の低下を引き起こし、刺激が非治療的パターン刺激に移行して戻った（図６ｃ）後、ベースラインレベルに戻ることが見て取れる。ただし、この例では、治療的刺激による共振周波数の変化は、各刺激パルスと共振の開始との間の遅れの増加が伴っている。開始の遅れのこの増加により、第２の共振ピークがシフトし、従来の（パターン化されていない）ＤＢＳの典型的な観測可能枠の外部で発生する。刺激をパターン化することにより、測定枠は３つの共振ピークを観察するのに十分な長さになり、ＥＲＮＡを特徴づけることを可能にする。さらに、前の例とは異なり、共振の振幅は治療的刺激によって減少する。
【０１１８】
図６ｄ、図６ｅ、及び図６ｆは、この例における治療的刺激による共振周波数の低下をさらに示している。ＥＲＮＡの２つのピークの最大値の間における時間の遅れの逆数を計算することにより、共振周波数を推定した。図６ｄでは、非治療的パターン刺激を使用して測定されたＥＲＮＡの周波数は約３５０Ｈｚであることがわかる。図６ｅの治療パターン刺激を適用することにより、周波数は約２５０Ｈｚに低下する。周波数は、非治療パターン刺激に移行して戻った後、図６ｆのベースラインレベルに戻っていることがわかる。
【０１１９】
本発明者らは、加えられた刺激に対する誘発神経反応が共振活動を示すだけでなく、いくつかの例では誘発された活動が複数の共振を含んでいると判定した。図７ａ、図７ｂ、図７ｃは、それぞれ１．５ｍＡ、２．２５ｍＡ、３．３７５ｍＡの継続的ＤＢＳに応答したＥＲＮＡを示している。１．５ｍＡでは、共振ＥＲＮＡは単一のピークとして始まり、それがわずかに分岐し始めて２つのピークになることがわかる。２．２５ｍＡでは、優位性は２つのピークのうちの遅い方に切り替わる。しかし、１．５ｍＡで支配的だった初期のピークは、より低い振幅で続く。３．３７５ｍＡでは、２つのピークが存在し、後ろ側のピークが優勢である。これらの複数の共振ピークは、異なる神経回路の活動に対応していると考えられている。これらの共振応答（または時間的特性やスペクトル特性などの他の特徴）間の相対的な振幅は、治療の状態の指標となり得る。
【０１２０】
刺激された神経回路の共振挙動の変化と、患者の疾患の症状との間の相関の特定は、ＤＢＳ療法の諸側面を改善するいくつかの機会を提示する。ＤＢＳ治療の進行中に、ＤＢＳ刺激のパラメータを設定し、フィードバックを使用してＤＢＳパラメータをリアルタイムで調整する技術と共に、ＤＢＳ電極の初期の植込み及びその後の再配置のための技術を含むが、これらに限定されない。
【０１２１】
前の数段落では、ＤＢＳと誘発された共振神経活動の間の関係、すなわちＤＢＳによって誘発された共振応答の分析を提示している。しかし、本発明者らは、ＤＢＳが脳内の自発的な神経活動、特に局所電場電位（ＬＦＰ）で測定可能な高周波振動（ＨＦＯ）に影響を及ぼし得ることも認識した。
【０１２２】
ＤＢＳ刺激中にＨＦＯをモニタする以前の試みは困難であることが証明された。記録装置の品質が比較的低いため、これまで、刺激から生じる局所電場電位の記録にアーティファクトが存在していた。その結果、これまでＨＦＯは脳深部刺激療法中に特徴付けられず、運動疾患の治療にも使用されずにいた。
【０１２３】
本発明者らは、ＤＢＳを使用して施される患者の治療に影響を与えることなく、ＤＢＳ刺激波形の特性を操作することにより、記録された局所電場電位のアーティファクトを低減できることに気付いた。特に、局所電場電位の記録中に、非対称の刺激のより長い持続時間の低振幅部分に関連する電荷が、記録用電極から受信した電気信号を処理するために使用される装置と結合することが見出されている。特に、この電荷の結合により、記録アンプ（複数可）が非線形状態で動作し、不正確な測定と前述のアーティファクトが生じる。
【０１２４】
本発明者らは、対称ＤＢＳ刺激を使用することにより、局所電場電位におけるＨＦＯの視認性を高めるために、電荷結合の事例を減らすことができることを見出した。理想的ではないが、同様の効果はまた、第１の持続時間で第１の振幅の第１の位相と、第１の位相とは逆極性で、第２の位相と第２の持続時間を備える第２の位相とを備え、第１の振幅と第１の持続時間の積が第２の振幅と第２の持続時間の積に実質的に等しい二相性刺激波形を使用することによって、達成させることができる。そうすることで、波形の第１の位相と第２の位相の電荷は、等しくて反対になる。一実施形態では、第２の位相が振幅の半分であり、第１の位相の持続時間の２倍である二相性刺激波形を使用することができる。別の実施形態では、第２の位相が第３の振幅であり、第１の位相の持続時間の３倍である二相性刺激波形を使用することができる。
【０１２５】
さらに、以下でより詳細に説明するように、パターン化ＤＢＳ刺激を使用してＨＦＯの可視性を高め、ＤＢＳ刺激パラメータの設定、ＤＢＳ電極の配置の誘導、治療及び疾患進捗の追跡に使用できるようにすることができ、閉ループのＤＢＳ刺激の制御を促せる。
【０１２６】
新規のＤＢＳ刺激技術を使用して、ＨＦＯの正確な記録が取得された。ＨＦＯの特性を分析することにより、本発明者らは、ＨＦＯの波形特性（固有周波数、帯域幅、振幅、周波数及び／または振幅の変化率など）が患者の様々な生理学的状態に依拠すると判定した。例えば、治療的ＤＢＳにより、脳のＨＦＯ活動が特定の患者固有の周波数に向かう傾向があることがわかっている。また、ＨＦＯがＤＢＳによって駆動される周波数は、ＤＢＳの刺激波形の周波数とは無関係であることが見出されている。実際、一般的な患者の脳に異なる周波数のＤＢＳ刺激を適用すると、ＨＦＯの活動が同じ周波数へと駆動されることが見出されており、一定期間ＤＢＳを適用した後、患者の総神経脳活動が振動する固有周波数が存在することを示している。本明細書では、ＨＦＯ活動傾向のこの周波数を、ＨＦＯ特性周波数と称する。
【０１２７】
図８ａ〜図８ｈは、測定されたＨＦＯ周波数に対する変動のあるＤＢＳ刺激振幅の効果を示す一連のスペクトログラムによりこの活動を示している。
【０１２８】
患者は、患者の視床下核（ＳＴＮ）に植込まれた、Ｍｅｄｔｒｏｎｉｃ（ＲＴＭ）により製造された３３８７電極リードのような電極リードを介して、神経刺激器から供給される二相性対称パルス波形を含む１３０Ｈｚのパルス列により刺激された。パルス幅は位相ごとに６０μｓであった。刺激の振幅は、各スペクトログラムの上部に示されているように、０Ａ〜３．３７５ｍＡの間で段階的に変化した。約１秒の非常に短い刺激のギャップ（刺激なしの期間）が各振幅条件の間の刺激に存在していた。各スペクトログラムでは、縦軸はヘルツ単位の周波数に対応し、横軸は秒単位の時間に対応する。ＨＦＯを含む測定された局所電場電位は、各スペクトログラムで明るい色調で示される。色調が白くなるほど、特定の周波数と時間で電極において受信される信号が強くなる。
【０１２９】
図８ａは、ゼロ刺激期間中の測定された局所電場電位を示すスペクトログラムである（秒単位の時間にわたる、ヘルツ単位の周波数範囲にわたるＨＦＯ活動）。図８ｂ及び図８ｈは、非治療的パターン化ＤＢＳの間のＨＦＯ活動を示すスペクトログラムである。図８ｃ〜図８ｇは、治療的ＤＢＳの間のＨＦＯ活動を示すスペクトログラムである。
【０１３０】
刺激のない期間（図８ａに示される）及び非治療的刺激の期間（図８ｂ及び図８ｈに示される）に、ＨＦＯ活動の非常にかすかな領域が、それぞれのスペクトログラムに示されているように記録されたことがわかる。この活動は、約２３０Ｈｚ〜３３０Ｈｚという周波数の範囲に広がっている。
【０１３１】
０．６６７ｍＡでの治療的ＤＢＳの開始により、図８ｃに示されるように、ＨＦＯ活動の非常に強い記録が得られており、特定の周波数（この場合１３０Ｈｚ）でのＤＢＳの適用が、記録された局所電場電位でのＨＦＯの視認性を高めることを示唆している。さらに、０．６６７ｍＡでの治療的ＤＢＳの適用は、３０秒後に約２６０Ｈｚから２７０Ｈｚでプラトーに達するＨＦＯ周波数の経時的な下降傾向を引き起こす。ＨＦＯ活動周波数（ＨＦＯの特徴的な周波数）のこのプラトーは、患者の運動疾患に関連する疾患関連の身体的影響の減少と相関することがわかっている。
【０１３２】
図８ｄ、図８ｅ、図８ｆ及び図８ｇに示されるように、１ｍＡ、１．５ｍＡ、２．２５ｍＡ、及び３．３７５ｍＡの振幅を有するＤＢＳの適用中に、経時的なＨＦＯ周波数の低下も観察され、それらにおいてはＨＦＯ活動の周波数が約２６０Ｈｚのほぼ同じＨＦＯ特性周波数に減少することが見られる。
【０１３３】
図８ｃ〜図８ｇのスペクトログラムはまた、記録されたＨＦＯ活動の周波数の変化率が振幅の増加とともに増加することを示し、より高い振幅のＤＢＳによりＨＦＯ活動がより迅速にその最終的な周波数に到達することを示唆している。ただし、図８ｇは、ＤＢＳ振幅が増加して閾値を超えると、より低いＤＢＳ振幅でのＨＦＯ活動と比較したとき（図８ｃ及び図８ｄなど）、ＨＦＯ活動が抑制されることを示している。これは図８ｇに例示されており、３．３７５ｍＡで刺激中のＨＦＯ活動がＨＦＯ活動の可視性を低下させることを示している。
【０１３４】
このデータを使用して、治療のための最適な刺激振幅を特定することができる。例えば、振幅は、ＨＦＯの特性周波数でＨＦＯを安定させるのに十分高いが、ＨＦＯを抑制するほど高くはないように選択できる。
【０１３５】
上記の測定された２６０ＨｚのＨＦＯ特性周波数は、従来のＤＢＳ治療を受けている患者の大部分で有効であることが見出されたデフォルトのＤＢＳのレート（１３０Ｈｚ）の高調波（×２）であることに留意されたい。しかし、デフォルトの１３０ＨｚのＤＢＳレートは、ＤＢＳ療法を受けているすべての患者にとって最適な刺激レートであるわけではないことに留意されたい。場合によっては、１３０ＨｚでのＤＢＳ療法は、実際に有害である。本発明者らは、これが患者間のＨＦＯ特性周波数の変動による可能性が高いことを認識した。例えば、患者の大部分が約２６０ＨｚのＨＦＯ特性周波数を示す場合があるが、一部の患者は異なるＤＢＳレートがより自分の治療に効果的であることを示す異なるＨＦＯ特性周波数を示す場合がある。したがって、図８ａ〜図８ｇにより得られるＨＦＯの測定値は、患者に関連する特徴的な周波数を識別するために使用でき、ひいては、ＤＢＳ療法の最適な周波数を判定するために使用され得る。
【０１３６】
上記を考慮して、時間（秒）にわたる周波数範囲（Ｈｚ）にわたるＨＦＯ活動を示す図９ａ〜図９ｈは、異なる患者のＨＦＯ活動に対するＤＢＳ振幅の効果のさらなる例を提供する。この例では、１３０ＨｚのＤＢＳが存在する場合、ＨＦＯ活動は、図８ａ〜図８ｈに示すＨＦＯ活動の患者のＨＦＯ特性周波数とは異なる約２８０ＨｚのＨＦＯ特性周波数に駆動される。数人の患者のＨＦＯ活動の分析により、治療的ＤＢＳの間のＨＦＯ活動傾向であるＨＦＯ特性周波数が患者固有であり、大きく変動し得る（通常２００Ｈｚから３５０Ｈｚの間）ことが見出された。前述のように、これは、ＤＢＳ中に患者の総神経脳活動が振動する患者固有の周波数があり、このＨＦＯの特徴的な周波数と相関するようにＤＢＳレートを調整することが好ましい場合があることを示唆している。したがって、ＨＦＯ活動を使用して、治療に最適な刺激周波数を特定することもできる。
【０１３７】
ＨＦＯ特性周波数はＤＢＳ刺激周波数とは無関係であることも発見された。図１０ａ〜図１０ｊは、様々な刺激周波数（図１０ａの場合はゼロ刺激）で、ＤＢＳを施されている患者の局所領域活動で測定されたＨＦＯのスペクトログラムである。これらの結果は、図８及び図９とは異なる患者の測定から取得されている。刺激の周波数ごとに、刺激の開始時に、ＨＦＯ活動は、ＤＢＳの周波数におおよそ関連すると思われる異なる周波数に集中していることがわかる。ただし、各事例において一定期間（約１００秒以内）の後、ＨＦＯ活動の周波数は同じＨＦＯ特性周波数、つまり約２６０Ｈｚになる傾向がある。図１０ａ〜図１０ｊが関係する患者の治療的処置に最も効果的なＤＢＳレートは１３０Ｈｚであることがわかった。これはやはり、測定されたＨＦＯの特性周波数の半分である。これもまた、患者のＨＦＯ特性周波数が、患者の治療に最も効果的なＤＢＳ周波数に関係していることを示唆している。
【０１３８】
上記の誘発された共振神経活動及びＨＦＯ活動の多くの実際の応用が、いくつかの実施形態を参照しながらこれから論じられる。実施形態では、１つ以上の電極リードを使用して、脳の半球の一方または両方の中の１つ以上の神経構造を刺激することができ、各リードは、各リードの先端近くに位置する１つ以上の電極を含む。各電極は、刺激、モニタリング、または刺激とモニタリングの両方に使用できる。これらの電極の１つまたは複数を植込むことができる。植込み電極は、独立して、または脳または頭蓋骨の外側に配置された１つ以上の電極に加えて使用することができる。
【０１３９】
Ｍｅｄｔｒｏｎｉｃ（ＲＴＭ）ＤＢＳリードモデル３３８７に組み込まれているような典型的なＤＢＳ電極リード先端部７０が図１１に示されている。リード先端部７０は、第１電極７２ａ、第２電極７２ｂ、第３電極７２ｃ、及び第４電極７２ｄを含む。いったん脳に植込まれると、電極７２ａ、７２ｂ、７２ｃ、７２ｄのそれぞれを使用して、１つ以上の神経構造に刺激を加える、または神経回路から刺激への誘発反応（ＥＲＮＡを含む）、及び脳の局所電場電位から測定されたＨＦＯ活動をモニタ及び任意選択で記録することができる。他の実施形態では、より多くの電極を備えたリード線、または異なるサイズまたはトポロジーを備えた電極を使用することができる。さらに、ＤＢＳリードの１つまたは複数の電極が刺激のために活性化されるか、信号のモニタリングに使用される場合、１つまたは複数の基準電極を遠隔部に配置して電気回路を完成させるために使用することができる。
【０１４０】
リード先端部７０の標的位置は、神経構造に応じて変動する。標的構造の例には、視床下核（ＳＴＮ）、黒質網様部（ＳＮｒ）、及び淡蒼球内節（ＧＰｉ）が含まれるが、これらに限定されない。
【０１４１】
図１２は、標的構造、この場合、視床下核（ＳＴＮ）８２で脳に植込まれたリード先端部７０を示す。電極先端部７０と視床下核（ＳＴＮ）８２との交差は通常５〜６ｍｍの直径を備え、非常に困難な外科的作業になる可能性があることが理解されよう。患者の症状をモニタしている間の、定位イメージング、微小電極記録、術中Ｘ線イメージング、治療的刺激の適用などの技術は、現在、電極先端部７０の配置に使用されている。しかし、これらの方法は精度を欠いている。さらに、既存の方法では、通常、患者が処置の際に覚醒している必要がある。患者の自発的な反応を利用して、電極が脳の標的構造に対して適切な位置にあることを確認できるためである。このため、ＤＢＳ療法の多くの潜在的なレシピエントが、外科的処置の間に覚醒していなければならないことに不安を抱いているために選択肢を断る。
【０１４２】
一連のパターン化刺激を使用して神経標的から誘発共振応答を生成及び測定することにより、標的構造内において電極先端部７０の電極の配置をする精度を大幅に高めることができる。そのような技術は、電極が標的神経構造に対して脳内の正しい位置に、はるかに正確に配置できるため、植込み処置の間に患者が覚醒する必要をなくすことができる。これは、電極を十分な精度で配置するために患者のフィードバックを必要とはしないため、手術中に患者が鎮静または全身麻酔下にあることが可能であることを意味する。
【０１４３】
本開示の実施形態による例示的なＤＢＳ供給システム９０が図１３に示されている。システム９０は、複数の統合電極７２ａ、７２ｂ、７２ｃ、７２ｄを含む図１１のリード先端部７０を、処理装置９２、信号発生器９４、測定回路９６、及び任意選択のマルチプレクサ９８と共に含んでいる。処理装置は、中央処理装置（ＣＰＵ）１００、メモリ１０２、及びＣＰＵ  １００及びメモリ１０２の１つまたは複数に通信可能に結合された入出力（Ｉ／Ｏ）バス１０４を含む。
【０１４４】
いくつかの実施形態では、マルチプレクサ９８は、電極７２ａ、７２ｂ、７２ｃ、７２ｄが信号発生器９４及び／または測定回路９６に接続されるかどうかを制御するために提供される。他の実施形態では、マルチプレクサは不要であり得る。例えば、電極７２ａ、７２ｂ、７２ｃ、７２ｄは、代わりに、信号発生器９４と測定回路９６の両方に直接接続されてもよい。図１３では、電極７２ａ、７２ｂ、７２ｃ、７２ｄのすべてがマルチプレクサ９８に接続されているが、他の実施形態では、電極７２ａ、７２ｂ、７２ｃ、７２ｄのうちの１つまたは一部のみが接続されていてもよい。
【０１４５】
測定回路９６は、１つ以上の増幅器と、ＥＲＮＡを含む刺激に対する神経応答を測定するためのサンプリング回路を含むがこれらに限定されないデジタル信号処理回路を含むことができる。いくつかの実施形態では、測定回路９６は、ＨＦＯなどの測定のための局所電場電位を含む受信信号から、他の情報を抽出するように、構成されてもよい。測定回路９６はまた、信号発生器９４と共に使用して、電極インピーダンスを測定することができる。測定回路９６は、処理装置９２の外部にあってもよく、または処理装置９２内に統合されてもよい。一方の側にある測定回路９６及び／または信号発生器９４と、他方の側にあるＩ／Ｏポートとの間の通信は、有線であっても、無線のリンク、例えば誘導連結、ＷｉＦｉ（ＲＴＭ）、Ｂｌｕｅｔｏｏｔｈ（ＲＴＭ）などであってもよい。電力は、少なくとも１つの電源１０６を介してシステム９０に供給されてもよい。電源１０６は、システム９０の要素が患者に植込まれたときに電力を維持できるようにバッテリーを備えてもよい。
【０１４６】
信号発生器９４は、マルチプレクサ９８を介して電極７２ａ、７２ｂ、７２ｃ、７２ｄのうちの１つ以上に連結され、処理装置９２から受信した信号に基づいてそれぞれの電極に電気刺激を供給するように動作可能である。その目的で、信号発生器９４、マルチプレクサ９８、及び処理装置９２はまた通信可能に連結されており、その間で情報を転送することができる。
【０１４７】
図１３の信号発生器９４、マルチプレクサ９８、及び処理装置９２は別個の装置として示されているが、他の実施形態では、信号発生器９４及びマルチプレクサは処理装置９２に統合されてもよい。さらに、いずれの装置とも、植込むことができ、または患者の体外に配置することができる。
【０１４８】
システム９０は、１つ以上の入力装置１０８及び１つ以上の出力装置１１０をさらに含むことができる。入力装置１０８は、キーボード、マウス、タッチパッド、及びタッチスクリーンのうちの１つ以上を含み得るが、これらに限定されない。出力装置の例には、ディスプレイ、タッチスクリーン、ライトインジケータ（ＬＥＤ）、サウンドジェネレータ、及びハプティックジェネレータが含まれる。入力装置１０８及び／または出力装置１１０は、例えばＥＲＮＡの特性、または後続的に引き出される指標（例えば、脳の神経構造に関する電極７０の近接度など）に関連するフィードバック（例えば、視覚、聴覚または触覚のフィードバック）を使用者に提供するように構成され得る。また、この目的のために、入力装置１０８の１つ以上は、例えばタッチスクリーンまたは触覚ジョイスティックなどの出力装置１１０であってもよい。入力装置１０８及び出力装置１１０はまた、処理装置９２に有線または無線で接続されてもよい。入力装置１０８及び出力装置１１０は、患者に装置の制御（すなわち患者制御装置）を提供するように、または臨床医が刺激設定をプログラムし、ＥＲＮＡ及び／またはＨＦＯ特性の刺激パラメータの効果のフィードバックを受信できるように構成することができる。
【０１４９】
システム９０の１つ以上の要素は携帯式であり得る。１つ以上の要素が患者に植込み可能であってもよい。いくつかの実施形態では、例えば、信号発生器９４及びリード７０は患者に植え込み可能であり、処理装置９２は患者の皮膚の外部にあってもよく、ＲＦ伝送（例えば誘導、Ｂｌｕｅｔｏｏｔｈ（ＲＴＭ）など）を介して信号発生器と無線通信で構成されてもよい。他の実施形態では、処理装置９２、信号発生器９４、及びリード７０は、すべて患者の体内に植込まれてもよい。いずれの場合でも、信号発生器９４及び／または処理装置９２は、患者の体外に位置するコントローラ（図示せず）と無線で通信するように構成されてもよい。
【０１５０】
本開示の一実施形態は、測定されたＥＲＮＡ及び／またはＨＦＯ活動を使用して、脳の標的構造内にリード先端部７０を配置するためのシステム及び方法を提供する。リード先端部７０を脳に植込む手術中に、脳内の神経構造に対する電極の位置を推定するために上記の低い精度の位置決め技術に頼る代わりに、システム９０を使用して、リード先端部７０の１つまたは複数の電極から受信した誘発応答信号の強度及び質などの特性に基づいた外科医へのリアルタイムのフィードバックを提供することができる。このフィードバックを使用して、３次元で標的構造内の位置を推定し、電極を再配置するか、異なる軌道に沿って電極を取り外して再植込みするかの決断を知らせることができる。
【０１５１】
図１４は、そのようなプロセスの概略的な例を示している。プロセスは、ステップ１１２で始まり、図１１を参照しながら説明したような電極リード先端部が、手術中に所定の軌道に沿って標的神経構造に向かって前進する。電極リードを前進させるステップサイズ（または空間分解能）は、外科医及び／または臨床医が選択できる。いくつかの実施形態では、ステップサイズは１ｍｍである。ステップ１１４では、上記のようなパターン化刺激をリード先端部７０の電極に加えることにより、ＥＲＮＡを含む誘発反応が測定される。刺激は、リード先端部７０が植込まれている間ずっと加えられてよい。あるいは、パターン化された信号は、１０回などの所定の回数繰り返されてもよい。誘発反応は、刺激を加えるために使用したものと同じ電極で測定するか、１つまたは複数の異なる電極で測定することができる。そうすることにより、標的神経構造に対する各電極の配置のより正確な推定値を得ることができる。電極リード先端部が最大限許容される深さまで挿入されるまで、ステップ１１２と１１４が繰り返される。その深さは、標的神経構造内にあるか、それをわずかに超えている場合がある。
【０１５２】
ステップ１１２と１１４を繰り返すことにより、挿入軌道に沿った異なる位置で誘発反応のプロファイルまたはマップを生成することができる。誘発反応のプロファイルは、複数の電極または１つのみの電極からの測定値を含み得る。異なる深さにおける誘発反応のプロファイルは、１つ以上の出力装置１１０に出力され得る。次いで、誘発反応のプロファイルは、好ましい電極の位置を特定できるかどうかを判定すべく、ステップ１１８で比較される。好ましい電極の位置を特定することは、異なる挿入位置（例えば、最大の共振を生成する位置）での振幅、減衰率、変化率、及び周波数の相対的な差または空間導関数を含む、異なるＥＲＮＡの特徴に基づいてもよい。
【０１５３】
また、好ましい電極の位置を特定することは、テンプレートが他の患者からの記録から得られた記録に由来するテンプレートＥＲＮＡ活動との比較に基づいてもよい。また、誘発反応のプロファイルを使用して、構造の境界及び交差する領域（例えば、内側または外側の領域を過ぎる軌跡）を含む、標的神経構造を通る電極リード７０の軌跡を推定することもできる。誘発反応のプロファイルは、標的構造が挿入軌跡と交差しない場合に、標的構造への近接度を推定するためにも使用できる。
【０１５４】
ステップ１２０で好ましい電極位置を特定できる場合、ステップ１２２で電極リード先端部７０を再配置でき、電極が好ましい位置に配置されるようにする。あるいは、多数の電極を備えた電極リード先端部を含む実施形態の場合、好ましい位置に最も近い位置にある電極は、治療的刺激を適用する際に、その後使用するために指名することができる。ステップ１２０で好ましい位置を特定できない場合、外科医及び／または臨床医は電極を除去し、異なる軌道に沿って再植込みすることを選択してもよい。
【０１５５】
本開示の別の実施形態は、標的神経構造に対する電極のアレイの相対位置を判定し、次いで治療的刺激の適用に使用する好ましい電極を選択するためのシステム及び方法を提供する。このプロセスは、電極植込み手術中に電極の配置を支援するために、または治療的刺激を供給するために装置をプログラミングするときに先行して植込まれる電極で実行できる。刺激は、アレイの複数の電極、例えば、電極アレイ７０の場合は電極７２ａ、７２ｂ、７２ｃ、７２ｄの２つ以上に加えることができる。パターン化刺激レジームが使用される場合、刺激パターンの連続バーストは、電極７２ａ、７２ｂ、７２ｃ、７２ｄの異なるものに適用されてもよい。あるいは、ある電極に完全な刺激パターンを適用し、その後に別の電極に別の完全な刺激パターンを適用してもよい。そうすることにより、電極アレイのどの電極が標的神経構造の１つまたは複数に治療的刺激を提供するのに最適に配置されているか、例えば電極７２ａ、７２ｂ、７２ｃ、７２ｄのどれが標的神経構造内に最適に配置されるかに関する判定を下すことができる。
【０１５６】
図１５は、複数の電極のアレイからの誘発反応を測定するための例示的なプロセス１３０を示している。ステップ１３２で、Ｘ電極のアレイの第１の電極（リード先端部７０の場合は電極７２ａ）に刺激が加えられる。適用される刺激は、上記のようなバーストパターン化刺激であってもよい。標的神経構造からの誘発反応は、ステップ１３４でアレイの電極の１つ以上で測定される。例えば、リード先端部７０の場合、誘発反応は、第１の電極７２ａが刺激されているとき、第２、第３及び第４の電極７２ｂ、７２ｃ、７２ｄで測定され得る。また、いくつかの実施形態では、刺激電極で受信された誘発反応が記録され、任意選択でメモリに保存されてもよい。各電極で誘発反応が測定されると、刺激用に別の電極が選択される。これは、プロセスがステップ１３６でＸ電極のアレイ内のすべての電極が刺激されたかどうか、すなわちプロセスがシステムのすべての電極を循環したかどうかを確認した後、ステップ１３８に示すようにカウンタを増分することで達成できる。刺激されるべき電極が残っている場合、プロセスは繰り返され、アレイの次の選択された電極に刺激が加えられる。アレイ内のすべての電極が刺激され、各電極での刺激に対する誘発反応が測定及び記録されている場合、結果の測定誘発反応はステップ１４０で処理される。
【０１５７】
誘発反応の処理は異なるＥＲＮＡ特徴の比較を含み得、刺激及び測定に使用される電極の異なる組み合わせにわたる、振幅、減衰率、変化率、及び周波数の相対的差異または空間導関数を含む。例えば、処理には、各刺激条件に対して最大の誘発共振振幅を測定する電極の識別が含まれる場合がある。好ましい電極の位置の特定はまた、テンプレートＥＲＮＡ活動との比較に基づいてもよい。テンプレートは、他の患者からの記録、または１つ以上のモデルまたはシミュレーションに由来していてもよい。
【０１５８】
誘発反応の処理に基づいて、治療的刺激に使用する好ましい電極をステップ１４２で選択することができる。ＥＲＮＡ処理の結果及び好ましい電極の推奨は、１つまたは複数の出力装置１１０に出力することができる。手術中にプロセスが実行された場合、ＥＲＮＡ処理の結果を使用して、どの電極が標的神経構造内にあるか、及び電極アレイを再配置するかどうかを判定することもできる。結果は、同じまたは異なる患者の誘発反応を将来処理するための１つ以上のテンプレートを生成するためにも使用できる。
【０１５９】
図１６は、第３の電極７２ｃに加えられるパターン化刺激に基づいて、第１、第２、及び第４の電極７２ａ、７２ｂ、７２ｄのそれぞれで測定される誘発反応の例を示す。この例は、図１５に示すプロセス１３０のステップ１３２及び１３４の１回の反復に対応する。刺激電極７２ｃは、交差軸で表される。第１に、新しいパターン化刺激を使用して、数サイクルにわたる共振応答を測定できることが示されている。第２に、第２の電極７２ｂでの応答が最大の振幅であり、第４の電極７２ｄでの応答の振幅が最小の振幅であり、第１の電極７２ａでの誘発応答の振幅が第２の電極７２ｂよりも大幅に小さいが第４の電極７２ｄよりもわずかに大きいことがわかる。これらの結果は、第２の電極７２ｂが標的神経構造に最も近いまたは標的神経構造内にあり、第１の電極７２ａ及び第４の電極７２ｄが標的神経構造の外にあることを示している。
【０１６０】
上記の例では誘発反応は３つの電極で測定されたが、他の実施形態では、誘発反応は、任意の構成の１つまたは２つまたは任意の数の電極で測定されてもよい。例えば、電極の様々な組み合わせからＥＲＮＡを測定及び／または記録できる。追加または代替として、測定電極は、脳または頭蓋骨に植込まれても、及び／または外部に配置されてもよい。
【０１６１】
図１７は、図１３に示されるシステム９０のリード先端部７０に適用される図１５のプロセス１３０による刺激に対する例示的な誘発反応をグラフで示す。グラフの各列は、交差パネルにより表される刺激電極による４つの刺激条件の１つを表す、すなわち各列はプロセス１３０のステップ１３２及び１３４の反復である。図１７に示すデータは、患者の脳の視床下核（ＳＴＮ）内に配置された第２の電極７２ｃと第３の電極７２ｄで測定されたものである。これらの電極７２ｃ、７２ｂの他方が刺激されると、第２及び第３の電極７２ｂ、７２ｃのそれぞれで最大の誘発反応が観察されることがわかる。したがって、別の電極の刺激に応答して各電極で、測定された誘発反応を比較することにより、第１に電極のいずれかが標的神経構造内に配置されているかどうか、第２に電極のいずれかが標的神経構造内の最適な位置に配置されているかどうか、及び第３に、その標的神経構造からの特定の電極の方向及び／または距離を判断できる。いくつかの実施形態では、刺激に対する誘発共振応答の存在、振幅、固有振動数、減衰、変化率、エンベロープ、及び微細構造の１つまたは複数を利用して、電極アレイのうちで最も効果的な電極を特定することができる。さらに、誘発反応は刺激に使用される電極の位置に応じて変動することが見て取れ、図１４に示すプロセスを使用して標的神経構造内の電極の位置を特定できることを示している。
【０１６２】
図１５のプロセス１３０は、異なる刺激パラメータを使用して（例えば、異なる刺激振幅または周波数を使用して）、またはステップ１３２で複数の刺激電極（例えば、１つ以上の電極リード線の複数の電極を介して同時に加えられる刺激）で繰り返されてもよい。得られた応答特性は、電流ステアリング（例えば、同時にアクティブである電極間の電流分布を設定すること）及びアクティブ電極（例えば、刺激に使用する電極）の選択を支援するために使用できる。例えば、応答特性を使用して、標的領域に対する活性化の空間的広がりを推定できる。この情報を使用して、２つ以上の電極を使用して刺激プロファイルを整形し、脳の特定の領域に、つまり標的構造に向かって、また臨床医が刺激したくない領域から離れるように、刺激を方向付けることができる。
【０１６３】
さらなる実施形態では、ＥＲＮＡ及びＨＦＯ活動の両方を使用して、様々な医学的状態を標的とするために使用される刺激パラメータを最適化することができる。例えば、リード先端部７０などの電極アレイが標的神経構造内に正確に配置されると、治療的ＤＢＳの刺激パラメータの設定は、ＥＲＮＡ及び／またはＨＦＯ活動を測定し、精度と時間の効率とコストの効率を改善し、望ましくない副作用を削減することで支援できる。
【０１６４】
誘発された共振活動の変化及び異なる刺激パラメータに対する局所電場電位におけるＨＦＯ活動の測定を使用して、刺激の設定を最適化することができる。このようなプロセスにより、治療を患者の個々のニーズに合わせて調整でき、最小限の臨床的介入で実行できるようになる。いくつかの実施形態では、刺激に対する誘発共振応答の存在、振幅、固有振動数、減衰、変化率、エンベロープ、及び微細構造の１つまたは複数を使用して刺激を最適化することができる。同様に、いくつかの実施形態では、ＤＢＳ刺激中に局所電場電位で測定されたＨＦＯの存在、振幅、周波数、減衰、変化率、エンベロープ、及び微細構造のうちの１つ以上を使用して刺激を最適化することができる。このような応答特性とＨＦＯ特性を使用して、刺激波形の振幅、周波数、パルス幅、及び形状を調整できる。
【０１６５】
最先端技術を使用して設定するのが特に困難な治療的刺激のパラメータは、刺激周波数である。これは、最適な刺激周波数が患者ごとに異なり得ることが１つの理由であり、通常、約９０Ｈｚから約１８５Ｈｚの間である。本開示の実施形態では、ＥＲＮＡ及び／またはＨＦＯ活動の上記の特性の１つまたは複数を使用して、刺激の周波数（例えば、バースト内のパルス間の期間ｔ２）を設定することができる。例えば、刺激周波数は、ＥＲＮＡの推定基本周波数など、ＥＲＮＡの周波数成分の倍数または約数に近似するように選択される場合がある。別の実施形態では、刺激周波数は、ＨＦＯ特性周波数など、測定されたＨＦＯ活動の特性に依拠するように選択することができる。例えば、刺激周波数は、患者の測定されたＨＦＯ特性周波数の半分になるように選択されてもよい。
【０１６６】
上に挙げたパラメータの一部またはすべてが、互いに相乗効果または有害な作用を有し、したがって治療の有効性を有する可能性があることが理解されよう。したがって、いくつかの実施形態では、機械学習または粒子スワームなどの既知の最適化の技術を実装して、多次元パラメータ空間内のパラメータ値の最適なセットを見つけることができる。そのような技術は、異なるパラメータ設定の選択を試行する反復プロセスを伴い、モニタされたＥＲＮＡ及び／またはＨＦＯ活動に基づいて最も効果的なパラメータ値を判定することができる。
【０１６７】
治療的ＤＢＳをさらに最適化するために、ＥＲＮＡ及び／またはＨＦＯ活動モニタリング及びＤＢＳパラメータを最適化するための上記の技法は、状態の症状を緩和するための薬物投与の前後に患者に対して実行できる。例えば、そのような薬を服用しているまたは服用していない特定の患者のＥＲＮＡの記録は、そのような誘発反応状態を再現するようにパラメータを調整できるように、患者に最も利益をもたらす誘発共振反応のベンチマークとして使用できる。同様に、そのような薬を服用しているまたは服用していない特定の患者のＨＦＯ活動の記録は、そのようなＨＦＯ活動を再現するようにパラメータを調整できるように、患者にとっての最大の利益と相関のあるＨＦＯ活動のベンチマークとして使用できる。
【０１６８】
図１８は、薬を服用している患者の刺激に応答するＥＲＮＡに基づいて刺激パラメータを判定する方法を概略的に示している。ステップ１４４で、刺激が患者の標的神経構造に植込まれた電極に加えられてから、任意の薬剤が投与され、刺激からのＥＲＮＡがステップ１４６で測定及び記録される。その後、患者はステップ１４８で薬を服用する。例えば、臨床医は、ある用量の薬物（例えば、レボドパ）を患者に投与する場合がある。ステップ１５０及び１５２で、刺激のプロセス及び共振応答の測定が繰り返される。次に、薬剤を投与する前後のＥＲＮＡを使用して、患者の薬用状態に近い刺激パラメータを判定する。特に、ＤＢＳパラメータの設定は、投与される場合に、制御されていない症状のＥＲＮＡから制御された症状のＥＲＮＡへの移行を複製または近似するように選択できる。
【０１６９】
図１９は、薬を服用している患者の刺激に応答するＨＦＯ活動に基づいて刺激パラメータを判定する方法を概略的に示している。ステップ１４７で、刺激が患者の標的神経構造に植込まれた電極に適用されてから、任意の薬物が投与され、ステップ１４９で刺激からのＨＦＯ活動が測定され記録される。次いでステップ１５１で患者が投薬される。例えば、臨床医は、ある用量の薬物（例えば、レボドパ）を患者に投与してもよい。ステップ１５３及び１５５で、刺激及び共振応答の測定のプロセスが繰り返される。次いで、薬剤を投与する前後のＨＦＯ活動を使用して、患者の投薬状態に近い刺激パラメータを判定する。特に、ＤＢＳパラメータの設定は、投与されるときに、制御されていない症状のＨＦＯ活動から制御された症状のＨＦＯ活動への移行を複製または近似するように選択できる。
【０１７０】
いくつかの実施形態では、システム９０がインストールされているとき、またはヘルスケアセンターへの訪問中に、臨床医によって最適化プロセスを実行することができる。追加的または代替的に、最適化は患者によって実行されてもよく、システム９０によって自動的に引き起こされてもよい。例えば、システム９０は、定期的に（例えば、毎日、毎週、または毎月）最適化プロセスを実施してもよい。他の実施形態では、電源１０６がバッテリーを含む状況では、バッテリーの交換または再充電で最適化プロセスを開始することができる。最適化プロセスをトリガできる他の条件には、患者が小さな運動課題、重大な運動課題、会話、睡眠、座位にあるかどうかなど、患者の状態の変化が含まれる。
【０１７１】
いくつかの実施形態では、システム９０は、メモリ１０２に先行して最適化された一連の設定を記憶することができる。これらの記憶された設定は、異なる患者の状態（例えば、微動または粗大運動活性化、睡眠または座位）に対する最適化された設定に対応し得、異なる標的神経構造に適用される刺激が含まれ得る。患者は、患者コントローラを使用して、保存された刺激設定のいずれを任意の所与のときに使用したいのかを選択する能力が与えられ得る。あるいは、システム９０は、システム９０により電極７０から記録された電気生理学的信号（例えば、ＥＲＮＡまたは局所電場電位（例えば、ＨＦＯ活動））からの患者の状態の測定に基づいて、またはシステム９０の入力装置１０８（例えば、加速度計）で取得される測定値から、保存された刺激設定のどれを使用するかを自動的に選択できる。
【０１７２】
脳内のＤＢＳ電極の配置の精度を高め、刺激用の電極構成を選択し、刺激パラメータを最適化することに加えて、電極の刺激を制御するためフィードバックを生成するためにＥＲＮＡ及びＨＦＯ活動を使用することができる。いくつかの実施形態では、図１３に示すシステム９０を使用してフィードバックを実施することができる。
【０１７３】
一実施形態では、システム９０は、好ましい患者の状態に対応する波形テンプレートを使用してもよい。テンプレートは、症状が軽減された患者のＥＲＮＡ及び／またはＨＦＯ活動の以前の記録を使用して生成され得る。例えば、薬を服用している患者または効果的な刺激治療を受けている患者から記録されたＥＲＮＡ／ＨＦＯテンプレートを使用できる。あるいは、健康な患者から記録されたＥＲＮＡ／ＨＦＯテンプレート、例えば運動障害のない患者が使用される場合がある。テンプレートは、１人の患者または複数の患者からの多くの記録の平均から作成できる。いくつかの実施形態では、完全なテンプレートの代わりに、ＥＲＮＡ波形及び／またはＨＦＯ活動波形の選択された特徴を使用してもよい。例えば、支配的な周波数及び振幅成分及び／または時間的特徴などのＥＲＮＡのパラメータを使用して、電極配置の改善及び治療的刺激の制御を可能にすることができる。同様に、特徴的な周波数及び振幅成分などのＨＦＯのパラメータを使用して、電極の配置と治療的刺激の制御を改善することができるようになる。いくつかの実施形態では、異なるＥＲＮＡ特性の好ましい範囲を定義することができる（例えば、刺激は、ＥＲＮＡ周波数が２５０〜２７０Ｈｚ内に留まるように制御される）。同様に、ＨＦＯの特徴的な周波数及び振幅成分及び／または時間的特徴などのＨＦＯ活動のパラメータは、治療的刺激の制御に使用されてもよい。いくつかの実施形態では、異なるＨＦＯ活動の好ましい範囲を定義することができる（例えば、刺激は、ＨＦＯ周波数の傾向が２６０Ｈｚに、またはＨＦＯ周波数の特性周波数への変化率が所定の閾値率を超えるように制御される）。
【０１７４】
図１３及び図２０を参照すると、いくつかの実施形態では、処理装置９２は、命令／信号を信号発生器９４に送信して、上記の実施形態に従って事前に較正されてもされていなくてもよい、パターン化刺激信号などの刺激信号を生成してもよい。次に、信号発生器９４は、ステップ１６０で信号を生成し、それをリード先端部７０の電極７２ａ、７２ｂ、７２ｃ、７２ｄの１つに印加することができる（ステップ１６２）。次に、処理装置９２は、ＥＲＮＡを測定し、ＥＲＮＡの１つまたは複数のパラメータ（または特性）をモニタすることができる（ステップ１６４）。次に、処理装置９２は、受信したＥＲＮＡデータを処理することができる（ステップ１６６）。いくつかの実施形態では、処理装置９２は、ＥＲＮＡ（またはその１つ以上のパラメータ）を効果的な治療に関連する共振応答（またはその１つ以上のパラメータ）と比較してもよい。次に、処理装置９２は、ＥＲＮＡデータに基づいて、電極７２ａ、７２ｂ、７２ｃ、７２ｄの１つに加えられる刺激信号の１つ以上のパラメータを調整するように信号発生器に指示することができる（ステップ１６８）。
【０１７５】
図１３及び図２１を参照すると、いくつかの実施形態では、処理装置９２は、命令／信号を信号発生器９４に送信して、上記の実施形態に従って事前に較正されてもされていなくてもよい、パターン化刺激信号などの刺激信号を生成してもよい。次に、信号発生器９４は、ステップ１６１で信号を生成し、それをリード先端部７０の電極７２ａ、７２ｂ、７２ｃ、７２ｄの１つに印加することができる（ステップ１６３）。次いで、処理装置９２は、ＨＦＯ活動を測定し、ＨＦＯ活動の１つまたは複数のパラメータ（または特性）をモニタすることができる（ステップ１６５）。次に、処理装置９２は、受信したＨＦＯ活動のデータを処理することができる（ステップ１６７）。いくつかの実施形態では、処理装置９２は、ＨＦＯ活動（またはその１つ以上のパラメータ）を効果的な治療に関連するＨＦＯ活動（またはその１つ以上のパラメータ）と比較してもよい。ＨＦＯ活動データに基づいて、処理装置９２は、次いで、信号発生器に、電極７２ａ、７２ｂ、７２ｃ、７２ｄのうちの１つ以上に加えられる刺激信号の１つ以上のパラメータを調整するよう指示し得る（ステップ１６９）。
【０１７６】
いくつかの実施形態では、ステップ１６１で適用される信号は、それぞれが異なる周波数を有する複数の成分を含んでもよい。例えば、信号は周波数が段階的に増加する場合がある（例えば１２０Ｈｚ、１３０Ｈｚ、１４０Ｈｚ、１５０Ｈｚなど）。代替的または追加的に、ステップ１６１で加えられる信号の複数の成分は、それぞれ異なる振幅を有してもよい。例えば、信号の振幅は、コンポーネント間の振幅が段階的に増加する場合がある（例えば、１ｍＡ、２ｍＡ、３ｍＡなど）。
【０１７７】
処理装置９２は、ステップ１６７で、ＨＦＯ活動のＨＦＯ特性周波数、すなわち、ステップ１６１で加えられた信号の存在下でＨＦＯ活動が時間とともに駆動される周波数を特定することができる。その場合ステップ１６９で、信号は、ＨＦＯ特性周波数に依拠して治療のための刺激率を設定するように調整されてもよい。例えば、刺激のレートは、ＨＦＯ特性周波数の約数（例えば、ｆＨＦＯ／１、ｆＨＦＯ／２、ｆＨＦＯ／３など）、好ましくはＨＦＯ特性周波数の半分の約数になるように選択されてもよい。
【０１７８】
ステップ１６１で加えられる信号が、それぞれ異なる振幅を有する複数の成分を含む場合、処理装置９２は、ステップ１６７で、ＨＦＯ活動が促進され、特定の周波数に駆動され、及び／または抑制され、加えられた信号の振幅を特定することができる。次いで、ステップ１６９で、信号の振幅は、例えば、所望のＨＦＯ活動効果を達成する最低値に調整されてもよい。望ましい効果は、上記の１つまたは複数のテンプレートと比較できる。
【０１７９】
電極７２ａ、７２ｂ、７２ｃ、７２ｄのうちの１つ以上で測定されたＨＦＯ活動に基づいて最適なＤＢＳ周波数及び振幅が判定される反復アプローチが採用され得ることが理解されよう。
【０１８０】
いくつかの実施形態では、上記のような刺激のバーストは、ＥＲＮＡ及び／またはＨＦＯ活動のモニタリングと組み合わせて、治療的な共振状態（例えば、最小限の副作用及び／または最小限の電力消費、を伴う良好な症状の抑制と相関する状態）を識別するために使用され得る。この情報から、好ましい治療状態を作り出すために必要な治療的刺激パラメータを特定することができる。いくつかの実施形態では、これらの刺激パラメータを使用して、標的神経構造に継続治療的ＤＢＳを適用してもよい。
【０１８１】
共振活動を特定するためのプローブバーストは、共振状態及びＨＦＯ活動を再評価するために治療的ＤＢＳとインターリーブすることができる。これらのプローブバーストは、例えば１０秒ごとなど、定期的に実装できる。一実施形態では、１０秒ごとに、１秒間プローブバーストが適用され（例えば、１３０Ｈｚで１０パルス）、ＥＲＮＡ及び／またはＨＦＯが評価され得る。次いで、治療的刺激パラメータは、ＥＲＮＡ及び／またはＨＦＯに基づいて調整または維持され得る。例えば、最後のプローブバーストに対してＥＲＮＡに変化がある場合、刺激パラメータは、ＥＲＮＡが先行して測定されたＥＲＮＡ及び／またはテンプレートＥＲＮＡと比較可能になるように、及び／またはＥＲＮＡ特性が望ましい範囲内にあるように調整される。同様に、最後のプローブバーストに対してＨＦＯ活動に変化がある場合、刺激パラメータは、ＥＲＮＡが先行して測定されたＨＦＯ及び／またはテンプレートＨＦＯと比較可能になるように、及び／またはＨＦＯ特性が望ましい範囲内にあるように調整される。
【０１８２】
測定されたＥＲＮＡに基づいて治療的刺激を調整することができる多くの方法がある。いくつかの実施形態では、共振回路が好ましい共振状態にある場合、例えば測定されたＥＲＮＡがテンプレートに実質的に一致する場合、またはＥＲＮＡ特性が所望の範囲内にある場合、処理装置９２からの指示に応じて、信号発生器９４により治療的刺激の振幅が低減され得る。逆に、神経回路が好ましい共振状態にない場合、治療的刺激の振幅は、信号発生器９４によって増加され得る。
【０１８３】
いくつかの実施形態では、治療的な共振が検出される場合、ＤＢＳ刺激は、測定可能なＥＲＮＡを生成するために次のプローブバーストが適用されるまで、完全にオフにされ得る。次に、次のプローブバーストが適用されたときに、共振がもはや治療するものではなくなった場合、ＤＢＳ刺激をオンに戻すことができる。
【０１８４】
いくつかの実施形態では、ＤＢＳ刺激は、治療的な共振が検出される場合、または、測定可能なＥＲＮＡを生成するために次のプローブバーストが適用されるまで、完全にスイッチオフされてもよい。次に、次のプローブバーストが適用されたときに、共振がもはや治療するものではなくなった場合、ＤＢＳ刺激をオンに戻すことができる。
【０１８５】
いくつかの実施形態では、継続刺激ブロックの長さ（プローブバースト間）及びプローブバーストの持続時間を調整して、ＥＲＮＡ及び／またはＨＦＯ活動を最適化することができる。プローブバースト間のより長い継続刺激期間またはブロックは、処理装置９２の計算の負荷を軽減し、したがって電力効率を向上させるが、好ましいＥＲＮＡ及び／またはＨＦＯからの、ＥＲＮＡ及び／またはＨＦＯのより大きな変動、したがって、治療の有効性の低減に至る可能性もある。
【０１８６】
前の数段落では、治療的ＤＢＳ状態を識別するためバースト刺激を使用することが、ＥＲＮＡに関連して説明されてきた。しかし、刺激の短いバースト（ＥＲＮＡに関連して上記で説明したような）を適用すると、その活動の周波数をシフトすることなくＨＦＯ活動を促進するように見えることもわかっている。したがって、このようなバーストを使用して、ＨＦＯの出力を測定可能なレベルに上げ、同時の治療的ＤＢＳを必要とせずに評価することができる。したがって、刺激のバーストは、いくつかの方法でＨＦＯ活動のモニタリングと組み合わせて使用することもできる。例えば、強化されたＨＦＯ活動は、治療的ＤＢＳ状態（例えば、副作用の最小化及び／または最小限の電力消費を伴う良好な症状の抑制と相関する状態）の識別に使用できる。さらに、好ましい治療状態を作り出すために必要な治療的刺激パラメータを特定することができる。いくつかの実施形態では、これらの刺激パラメータを使用して、標的神経構造に継続治療的ＤＢＳを適用してもよい。
【０１８７】
ＥＲＮＡの使用と同様に、測定されたＨＦＯに基づいて治療的刺激を調整することができるいくつかの方法がある。いくつかの実施形態では、測定されたＨＦＯ活動が好ましい状態にある場合、例えば、測定されたＨＦＯがテンプレートに実質的に一致する場合、またはＨＦＯの特徴的な周波数が所望の範囲内にある場合、治療的刺激の振幅は、処理装置９２からの指示に応じて信号発生器９４により低減され得る。逆に、ＨＦＯが好ましい状態の外部にある場合、治療的刺激の振幅は、好ましい枠内でＨＦＯ活動を再配置するために、信号発生器９４によって増加または減少され得る。
【０１８８】
上記に加えて、非治療的パターン化刺激の適用はまた、ＨＦＯ活動を増強するので、そのような活動は、薬物の効果、疾患の状態を追跡するため、または電極の配置を支援するため、または脳内に配置された複数の電極のどの電極が、刺激に使用するのに最適な電極であるかを判定するため、に使用することができる。その目的のため、電極の配置とＥＲＮＡに基づくＤＢＳに使用する電極の選択の両方について、ここで説明した方法と同等の方法を使用して、電極の配置を補助し、刺激に最適な電極を選択することもできる。
【０１８９】
植込み型及び携帯型ＤＢＳ装置には、副作用及び電力消費の両方を最小限に抑えながら症状の最良の治療を提供するための固有の要件がある。一実施形態では、閉ループフィードバックを使用してシステム９０を動作させる方法が提供され、刺激がオンである時間を最小化する目的で刺激のデューティサイクルが変調される。図２２は、システム９０によって実行され得るプロセスを示している。ステップ１７０で、刺激信号が生成される。刺激信号のパラメータは、ＥＲＮＡ及び／またはＨＦＯの活動を好ましい状態に最適化するように選択される。次に、ステップ１７２で、期間Ｔの間、リード先端部７０の電極に刺激が加えられる。期間Ｔは、固定の期間であってもよい。好ましくは、刺激は、ＥＲＮＡの好ましい状態に達するまで継続的または定期的に適用される。次いで、治療的刺激が停止され、誘発反応が１つ以上の電極で測定され、誘発反応は、刺激電極に加えられるパルスの１つ以上のバーストを含むプローブ刺激に対するものである（ステップ１７４）。いくつかの実施形態では、プローブ刺激は複数の電極に加えられてもよい。いくつかの実施形態では、刺激電極を使用して、１つ以上の他の電極の代わりに、またはそれに加えて、ＥＲＮＡを測定することができる。次いで、ＥＲＮＡが望ましくなくなるまで、システムはこのモニタ状態に維持される。いくつかの実施形態では、測定された応答をテンプレートＥＲＮＡ応答と比較することにより、または測定されたＥＲＮＡ特性を所望の範囲と比較することにより、ＥＲＮＡが好ましいまたは治療状態にあるかどうかの判定が実行され得る。ステップ１７６で状態が望ましくないと考えられるとすぐに、ステップ１７０及び１７２で刺激信号が再び生成され加えられる。
【０１９０】
図２３は、非治療的パターン化刺激信号（パルスの１つ以上のバーストを含む）１８４が後に続くパターン化された治療的刺激信号１８２と、好ましい状態１８６と好ましい状態に劣る状態１８８との間で変動するＥＲＮＡの対応する特性（例えば共振周波数）１８０とを含む、刺激レジーム１７８をグラフで比較する。
【０１９１】
閉ループフィードバックを使用してシステム９０を動作させる方法は、ＥＲＮＡに関連して上記で説明されている。しかし、一実施形態では、閉ループフィードバックを使用してシステム９０を動作させる方法が提供され、ＨＦＯ活動がＤＢＳ刺激をリアルタイムで制御するために使用される。図２４は、システム９０によって実行され得るプロセスを示している。ステップ２０４で、刺激信号が生成される。刺激信号のパラメータは、ＨＦＯ活動を最適な状態に最適化するように選択される。次に、ステップ２０６で、刺激がリード先端部７０の電極に加えられる。好ましくは、刺激は、ＨＦＯの好ましい状態に達するまで継続的または周期的に加えられる。刺激信号がリード先端部７０に加えられ始めている間、ＨＦＯ活動は１つ以上の電極で測定される（ステップ１７４で）。いくつかの実施形態では、刺激信号は複数の電極に加えられてもよい。いくつかの実施形態では、刺激電極は、１つ以上の他の電極の代わりに、またはそれに加えて、ＨＦＯ活動を測定するために使用され得る。いくつかの実施形態では、システム９０は、ＨＦＯ活動が望ましくなくなるまで、ＨＦＯ活動をモニタし続ける。いくつかの実施形態では、ＨＦＯ活動が好ましい状態または治療状態にあるかどうかの判定は、測定された活動をテンプレートＨＦＯ活動と比較することにより、または測定されたＨＦＯ特性を所望の範囲と比較することにより実行され得る。ステップ２１０で状態が望ましくないと考えられるとすぐに、ステップ２０６で刺激信号が調整され、リード先端部７０に加えられる。
【０１９２】
図２５は、ＤＢＳ刺激を制御するためにシステム９０によって実行され得る別のプロセスを示している。ステップ２０４で、刺激信号が生成される。刺激信号のパラメータは、ＨＦＯ活動を好ましい状態に最適化するように選択される。次に、ステップ２０６で、刺激がリード先端部７０の電極に加えられる。好ましくは、刺激は、ＨＦＯの好ましい状態に達するまで継続的または周期的に加えられる。刺激信号がリード先端部７０に加えられ始めている間、ＨＦＯ活動は１つ以上の電極で測定される（ステップ２０６）。いくつかの実施形態では、刺激信号は複数の電極に加えられてもよい。いくつかの実施形態では、刺激電極は、１つ以上の他の電極の代わりに、またはそれに加えて、ＨＦＯ活動を測定するために使用され得る。ＨＦＯ活動が最適な状態に達するまで刺激が適用される。いくつかの実施形態では、ＨＦＯ活動が最適な状態にあるかどうかの判定は、測定された活動をテンプレートＨＦＯ活動と比較することにより、または測定されたＨＦＯ特性を所望の範囲と比較することにより実行され得る。ステップ２０８で、ＨＦＯ活動が最適な状態にあると測定されると、ステップ２１０で、例えば、その周波数の振幅を減少させることにより、または刺激を完全に停止することにより、適用されるＤＢＳ刺激の振幅または周波数を調整することができる。これにより、ひいてはＨＦＯ活動が好ましい状態の外にドリフトする。ステップ２１２で、ＨＦＯ活動がもはや好ましい状態ではないと判明した場合、ステップ２１４でＨＦＯ活動を再度調整して、例えば、ＤＢＳの刺激の振幅を増加させることにより、または刺激の周波数を調整することにより、ＨＦＯ活動を好ましい状態に戻すことができる。
【０１９３】
本明細書に記載の実施形態のパターン化された信号を実装するいくつかの異なる方法がある。図２６ａ及び図２６ｂは、２つの例示的なパターニングプロファイルを示している。図２６ａでは、パターン化されたプロファイルは、継続刺激ブロック１９０の後の無刺激１９２の期間、それに続くパルスのバースト１９４及び無刺激の別の期間１９６を含む。無刺激の期間中、ＥＲＮＡを測定し、（必要に応じて）治療的刺激信号を調整することができる。ＨＦＯ活動は、刺激のない期間中、または刺激中、またはその両方のいずれかで測定することができ、必要に応じて治療的刺激を適宜調整することができる。
【０１９４】
代替実施形態では、システムは、図２６ｂに示されるように、継続刺激１９８の最終パルスの後、ＥＲＮＡ及び／またはＨＦＯ活動をモニタしてもよい。モニタ期間２００の後、次いで治療的刺激は期間２０２の間調整され、その後、調整されたパラメータで治療的刺激１９８が加えられ得る。このレジームは、周期的なパルスの欠落を伴う継続的な刺激とみなすこともできる。この目的のために、継続刺激はパルスのバーストと見なすことができ、刺激なしの期間は、上記の図２を参照しながら説明したように、第１の期間ｔ１と見なすことができる。
【０１９５】
ＥＲＮＡ及びＨＦＯ活動の存在及び振幅は、刺激の振幅に依拠し得る。したがって、ＥＲＮＡとＨＦＯの両方の測定値の一貫性を維持するために、常に同じパルスパラメータ設定を使用することが望ましい場合がある。特に、パルスパラメータの設定に使用されるパルスとＥＲＮＡの測定に使用されるパルスに同じ振幅を使用することが望ましい場合がある。したがって、刺激のない期間の前の最後のパルスは、他のパルス（例えば、治療的刺激）によって加えられる刺激の振幅とは無関係の固定の振幅であり、刺激の振幅または他のパルスパラメータへの共振の依拠によるいずれの影響をも最小限に抑えるようにする。
【０１９６】
上記の実施形態では、単一の電極アレイを使用して誘発神経反応の刺激と記録の双方を行うが、他の実施形態では、電極は、脳半球のいずれかまたは両方の１つまたは複数の標的構造において、複数のプローブまたはリードに分布させることができる。同様に、脳の外部に植込まれたまたは配置された電極を使用して、誘発神経反応の刺激または記録のいずれかを行うか、刺激と記録の両方を行うことができる。いくつかの実施形態では、微小電極とマクロ電極の両方の組み合わせを、任意の予見可能な方法で使用することができる。
【０１９７】
本発明の実施形態のさらなる適用において、ＥＲＮＡ及び／またはＨＦＯ測定値は、疾患または症候群の進行または寛解をモニタするために経時的に記録及び追跡されるか、（例えば、患者の神経学的状態を分類するための）診断ツールとして使用され得る。また、そのような実施形態は、患者の状態（ＥＲＮＡ／ＨＦＯ活動によって判定される）が望ましくない状態または重大な状態（例えば、パーキンソン病の危機）に向かって悪化した場合に、患者、介護者または臨床医に医療上の警告を発するために使用されてもよい。
【０１９８】
さらに別の用途では、ＥＲＮＡ及び／またはＨＦＯ活動を使用して、薬物投与量の調整などの効果を含む薬物の効果を経時的にモニタすることができる。そのような実施形態はまた、服用が必要なとき、または服用がスキップされたときに、患者に薬物のことを思い出させるべくその警告を発するために使用することもできる。また、ＥＲＮＡ／ＨＦＯ活動で薬物の効果を追跡することにより、臨床医は、処方したとおりに薬物を服用しているかどうか、または薬物の効果が低下して投薬の調整をする必要があるかどうかに関する情報を得ることができる。
【０１９９】
ＨＦＯ活動のさらなる分析と結果の説明
ＤＢＳパルスから生じる神経活動を調査して、ＨＦＯをバイオマーカーとして使用できるかどうかを判断した。刺激アーティファクトの時間的持続時間を最小化するために、非常に長い第２の位相の従来の非対称的なパルスではなく、広い記録帯域幅と刺激用の対称二相パルスが使用された。
【０２００】
パーキンソン病（ＰＤ）がＤＢＳの主な用途であるため、手術台で依然覚醒しているＰＤ患者のＳＴＮへ植込みをした直後のＤＢＳ電極について、記録を行った。さらに、運動、辺縁系、及び連合機能の調節におけるＳＴＮの役割により、それはジストニア、本態性振戦、てんかん、強迫性障害のＤＢＳ治療など、多様な応用に関連する神経標的になる。
【０２０１】
標準的な１３０ＨｚのＤＢＳは、複数のピークを観察できるように一時的にパターン化された。２つの新しいパターンを採用した。１秒ごとに１パルスをスキップすることと、１秒ごとに１０パルスのバーストを適用することである。「スキップパルス」のパターンは、時間の経過とともに供給されるパルスの総数が０．７７％しか減少しないため、標準の１３０ＨｚのＤＢＳに匹敵する治療効果があると予想された。対照的に、「バースト」のパターンは、継続的ＤＢＳに対して最小限の治療効果しかないと予想されていたため、パルスの７．７％のみを供給し、治療がない場合の活動を調査する際有用なプローブとした。
【０２０２】
ＤＢＳ植込み手術を受けている１２人のＰＤ患者（ｎ＝２３半球）のＳＴＮにバースト刺激を加え、全事例で同様の形態のＨＦＯを観察し、患者集団全体で測定できるロバストかつ信頼できる信号であることを示した。
【０２０３】
ＨＦＯ活動は一般に周波数の広帯域ピークによって特徴付けられるため、マルチテーパースペクトル推定値を計算し、次に２００〜４００Ｈｚの間に生じるピークの周波数及び振幅を判定した。１５ｓの非重複ブロックの平均を比較すると（図２６）、ＨＦＯのピーク周波数は、ＤＢＳ後（Ｆｒｉｅｄｍａｎ、χ２（４）＝４５．１８、ｐ＜０．００１）、最後の４５〜６０ｓブロックまで有意に減少することがわかった。（Ｔｕｋｅｙ、ｐ＝０．０７７）。このウォッシュアウトの傾向は、ＥＲＮＡの周波数と一致し、周波数は低くなるが、２つの間に有意な相関がある（ピアソン積モーメント、ρ＝０．５４６、ｎ＝１５２、ｐ＜０．００１）。ＤＢＳ直後のＨＦＯピーク周波数の中央値は２５３Ｈｚであり、３．３８ｍＡという治療の条件であるＥＲＮＡ周波数の中央値（２５６Ｈｚ）に匹敵しており、より継続的なスキップパルスの刺激の間、ＥＲＮＡと同じ周波数でＨＦＯ活動が生じていることを示している。
【０２０４】
ＨＦＯピーク振幅に有意差は見られなかった（フリードマン、χ２（４）＝２．１１、ｐ＝０．７２）が、それは、ＥＲＮＡ振幅と有意に相関した（ピアソン積モーメント、ρ＝０．４２９、ｎ＝１５２）。ＨＦＯピークの非常に小さな振幅（＜１μＶ）により、記録のノイズによって変調効果が不明瞭になる可能性がある。
【０２０５】
本開示の広範な一般的範囲から逸脱することなく、上述の実施形態に対して多数の変形及び／または修正を行うことができることを当業者は理解するであろう。したがって、本実施形態は、あらゆる点で例示的であり、限定的ではないと見なされるべきである。
【符号の説明】
【０２０６】
２０  刺激
７０  電極リード先端部
７２  電極
９０  システム
９２  処理装置
９４  信号発生器
９６  測定回路
９８  マルチプレクサ
１００  中央処理装置（ＣＰＵ）
１０２  メモリ
１０４  入出力（Ｉ／Ｏ）バス
１０６  電源
１０８  入力装置
１１０  出力装置
１７８  刺激レジーム
【図１】
2020521544.tif 000003
【図２】
2020521544.tif 000004
【図３】
2020521544.tif 000005
【図４】
2020521544.tif 000006
【図５】
2020521544.tif 000007
【図６】
2020521544.tif 000008
【図７】
2020521544.tif 000009
【図８】
2020521544.tif 000010
【図９】
2020521544.tif 000011
【図１０】
2020521544.tif 000012
【図１１】
2020521544.tif 000013
【図１２】
2020521544.tif 000014
【図１３】
2020521544.tif 000015
【図１４】
2020521544.tif 000016
【図１５】
2020521544.tif 000017
【図１６】
2020521544.tif 000018
【図１７】
2020521544.tif 000019
【図１８】
2020521544.tif 000020
【図１９】
2020521544.tif 000021
【図２０】
2020521544.tif 000022
【図２１】
2020521544.tif 000023
【図２２】
2020521544.tif 000024
【図２３】
2020521544.tif 000025
【図２４】
2020521544.tif 000026
【図２５】
2020521544.tif 000027
【図２６Ａ】
2020521544.tif 000028
【図２６Ｂ】
2020521544.tif 000029
【国際調査報告】
2020521544.tif 000030
2020521544.tif 000031
2020521544.tif 000032